(57)【要約】本発明の実施形態は、ワイヤレス通信分野に関し、詳細には、セッション管理方法及びセッション管理ネットワーク要素に関する。セッション管理方法は、第１の制御プレーンネットワーク要素によって、第２の制御プレーンネットワーク要素からユーザ機器ＵＥコンテキスト応答メッセージを受信するステップであって、ＵＥコンテキスト応答メッセージは第１のセッションメッセージを搬送し、第１のセッションメッセージは保留セッションメッセージである、ステップと、第１の制御プレーンネットワーク要素によって、ＵＥコンテキスト応答メッセージに従ってユーザ機器に第２のセッションメッセージを送るステップとを含む。本発明の実施形態におけるセッション管理方法及びセッション管理ネットワーク要素によれば、セッションは、ユーザ機器の制御プレーン接続が変化するシナリオにおいて管理され得る。
2019534636.tif 000002
【特許請求の範囲】
【請求項１】
第１の制御プレーンネットワーク要素によって、第２の制御プレーンネットワーク要素からユーザ機器ＵＥコンテキスト応答メッセージを受信するステップであって、前記ＵＥコンテキスト応答メッセージは第１のセッションメッセージを搬送し、前記第１のセッションメッセージは保留セッションメッセージである、ステップと、
前記第１の制御プレーンネットワーク要素によって、前記ＵＥコンテキスト応答メッセージに従ってユーザ機器に第２のセッションメッセージを送るステップと
を含む、セッション管理方法。
【請求項２】
前記第１のセッションメッセージは前記第２のセッションメッセージと同じである
請求項１に記載の方法。
【請求項３】
前記第２のセッションメッセージは、前記第１のセッションメッセージに基づいて生成される
請求項１に記載の方法。
【請求項４】
前記第２のセッションメッセージはセッション管理メッセージであり、
前記第１の制御プレーンネットワーク要素によって、前記ＵＥコンテキスト応答メッセージに従ってユーザ機器に第２のセッションメッセージを送る前記ステップは、
前記第１の制御プレーンネットワーク要素によって、前記第１のセッションメッセージに従ってモビリティ管理ＭＭネットワーク要素にプロトコルデータユニットＰＤＵセッション再配置応答メッセージを送るステップであって、前記ＰＤＵセッション再配置応答メッセージは前記セッション管理メッセージを搬送し、それにより、前記ＭＭネットワーク要素は前記ユーザ機器に前記セッション管理メッセージを送る、ステップを含む
請求項１〜３のいずれか一項に記載の方法。
【請求項５】
前記第２のセッションメッセージはセッション管理メッセージであり、
前記第１の制御プレーンネットワーク要素によって、前記ＵＥコンテキスト応答メッセージに従ってユーザ機器に第２のセッションメッセージを送る前記ステップは、
前記第１の制御プレーンネットワーク要素によって、前記第１のセッションメッセージに従って前記ユーザ機器にロケーション更新受付メッセージを送るステップであって、前記ロケーション更新受付メッセージは前記セッション管理メッセージを搬送する、ステップを含む
請求項１〜３のいずれか一項に記載の方法。
【請求項６】
前記第２のセッションメッセージはセッション管理メッセージであり、
前記第１の制御プレーンネットワーク要素によって、前記ＵＥコンテキスト応答メッセージに従ってユーザ機器に第２のセッションメッセージを送る前記ステップは、
前記第１のセッションメッセージに従って前記第１の制御プレーンネットワーク要素によって、前記ユーザ機器によってアクセスされるアクセスネットワーク要素にコンテキストセットアップ要求メッセージを送るステップであって、前記コンテキストセットアップ要求メッセージは前記セッション管理メッセージを搬送し、それにより、前記アクセスネットワーク要素は、無線リソース制御ＲＲＣ再構成を通して前記ユーザ機器に前記セッション管理メッセージを送る、ステップを含む
請求項１〜３のいずれか一項に記載の方法。
【請求項７】
前記第２のセッションメッセージはセッション管理メッセージであり、
前記第１の制御プレーンネットワーク要素によって、前記ＵＥコンテキスト応答メッセージに従ってユーザ機器に第２のセッションメッセージを送る前記ステップは、
前記第１の制御プレーンネットワーク要素によって、前記第１のセッションメッセージに従って前記ユーザ機器にＰＤＵセッション更新応答メッセージを送るステップであって、前記ＰＤＵセッション更新応答メッセージは前記セッション管理メッセージを搬送する、ステップを含む
請求項１〜３のいずれか一項に記載の方法。
【請求項８】
前記第１の制御プレーンネットワーク要素によって、前記ユーザ機器に前記第２のセッションメッセージを送る前記ステップは、
事前に取得された前記ユーザ機器の通信リンクベアラステータス情報に基づいて前記第１の制御プレーンネットワーク要素によって、アクティブ状態にある通信リンクを判定するステップと、
前記ユーザ機器に前記第１の制御プレーンネットワーク要素によって、前記アクティブ状態の前記通信リンクに対応する前記第２のセッションメッセージを送るステップと
を含む
請求項１〜７のいずれか一項に記載の方法。
【請求項９】
第１の制御プレーンネットワーク要素によって、第２の制御プレーンネットワーク要素からＵＥコンテキスト応答メッセージを受信する前記ステップの前に、前記方法は、
前記第１の制御プレーンネットワーク要素によって、前記ユーザ機器によって送られたロケーション更新要求メッセージを受信するステップであって、前記ロケーション更新要求メッセージは、前記第２の制御プレーンネットワーク要素のアドレスを導出するために使用される情報を搬送する、ステップをさらに含む
請求項１〜８のいずれか一項に記載の方法。
【請求項１０】
第１の制御プレーンネットワーク要素によって、第２の制御プレーンネットワーク要素からＵＥコンテキスト応答メッセージを受信する前記ステップの前に、前記方法は、
前記第１の制御プレーンネットワーク要素によって、前記ＭＭネットワーク要素によって送られたＰＤＵセッション再配置要求メッセージを受信するステップであって、前記ＰＤＵセッション再配置要求メッセージは、前記第２の制御プレーンネットワーク要素のアドレスを導出するために使用される情報を搬送する、ステップをさらに含む
請求項１〜８のいずれか一項に記載の方法。
【請求項１１】
第１の制御プレーンネットワーク要素によって、第２の制御プレーンネットワーク要素からＵＥコンテキスト応答メッセージを受信する前記ステップの前に、前記方法は、
前記第１の制御プレーンネットワーク要素によって、前記ユーザ機器によって送られたＰＤＵセッション更新要求メッセージを受信するステップであって、前記ＰＤＵセッション更新要求メッセージは、前記第２の制御プレーンネットワーク要素のアドレスを導出するために使用される情報を搬送する、ステップをさらに含む
請求項１〜８のいずれか一項に記載の方法。
【請求項１２】
第１の制御プレーンネットワーク要素によって、第２の制御プレーンネットワーク要素からＵＥコンテキスト応答メッセージを受信する前記ステップは、
前記第１の制御プレーンネットワーク要素によって、前記第２の制御プレーンネットワーク要素にコンテキスト要求メッセージを送るステップと、
前記第１の制御プレーンネットワーク要素によって、前記コンテキスト要求メッセージに従って前記第２の制御プレーンネットワーク要素によって送られた前記ＵＥコンテキスト応答メッセージを受信するステップと
を含む
請求項１〜１１のいずれか一項に記載の方法。
【請求項１３】
前記第１の制御プレーンネットワーク要素はターゲットＳＭネットワーク要素であり、前記第２の制御プレーンネットワーク要素はソースＳＭネットワーク要素であり、前記ＵＥコンテキスト応答メッセージはＳＭコンテキスト応答メッセージである
請求項１〜１２のいずれか一項に記載の方法。
【請求項１４】
前記方法は、
前記第１の制御プレーンネットワーク要素によって、ポリシー機能ＰＦネットワーク要素にＰＤＵセッション同期通知メッセージを送るステップをさらに含む
請求項１〜１３のいずれか一項に記載の方法。
【請求項１５】
セッション管理ネットワーク要素であって、前記ネットワーク要素は、第１の制御プレーンネットワーク要素中に展開され、
第２の制御プレーンネットワーク要素からユーザ機器ＵＥコンテキスト応答メッセージを受信するように構成された受信ユニットであって、前記ＵＥコンテキスト応答メッセージは第１のセッションメッセージを搬送し、前記第１のセッションメッセージは保留セッションメッセージである、受信ユニットと、
前記ＵＥコンテキスト応答メッセージに従ってユーザ機器に第２のセッションメッセージを送るように構成された送信ユニットと
を備える、セッション管理ネットワーク要素。
【請求項１６】
前記第１のセッションメッセージは前記第２のセッションメッセージと同じである
請求項１５に記載のネットワーク要素。
【請求項１７】
前記第２のセッションメッセージは、前記第１のセッションメッセージに基づいて生成される
請求項１５に記載のネットワーク要素。
【請求項１８】
前記第２のセッションメッセージはセッション管理メッセージであり、
送信ユニットが前記ＵＥコンテキスト応答メッセージに従ってユーザ機器に第２のセッションメッセージを送ることは、以下の動作、即ち、
前記第１のセッションメッセージに従ってモビリティ管理ＭＭネットワーク要素にプロトコルデータユニットＰＤＵセッション再配置応答メッセージを送ることであって、前記ＰＤＵセッション再配置応答メッセージは前記セッション管理メッセージを搬送し、それにより、前記ＭＭネットワーク要素は前記ユーザ機器に前記セッション管理メッセージを送る、こと
を実施することを特に含む
請求項１５〜１７のいずれか一項に記載のネットワーク要素。
【請求項１９】
前記第２のセッションメッセージはセッション管理メッセージであり、
送信ユニットが前記ＵＥコンテキスト応答メッセージに従ってユーザ機器に第２のセッションメッセージを送ることは、以下の動作、即ち、
前記第１のセッションメッセージに従って前記ユーザ機器にロケーション更新受付メッセージを送ることであって、前記ロケーション更新受付メッセージは前記セッション管理メッセージを搬送する、こと
を実施することを特に含む
請求項１５〜１７のいずれか一項に記載のネットワーク要素。
【請求項２０】
前記第２のセッションメッセージはセッション管理メッセージであり、
送信ユニットが前記ＵＥコンテキスト応答メッセージに従ってユーザ機器に第２のセッションメッセージを送ることは、以下の動作、即ち、
前記第１のセッションメッセージに従って、前記ユーザ機器によってアクセスされるアクセスネットワーク要素にコンテキストセットアップ要求メッセージを送ることであって、前記コンテキストセットアップ要求メッセージは前記セッション管理メッセージを搬送し、それにより、前記アクセスネットワーク要素は、無線リソース制御ＲＲＣ再構成を通して前記ユーザ機器に前記セッション管理メッセージを送る、こと
を実施することを特に含む
請求項１５〜１７のいずれか一項に記載のネットワーク要素。
【請求項２１】
前記第２のセッションメッセージはセッション管理メッセージであり、
送信ユニットが前記ＵＥコンテキスト応答メッセージに従ってユーザ機器に第２のセッションメッセージを送ることは、以下の動作、即ち、
前記第１のセッションメッセージに従って前記ユーザ機器にＰＤＵセッション更新応答メッセージを送ることであって、前記ＰＤＵセッション更新応答メッセージは前記セッション管理メッセージを搬送する、こと
を実施することを特に含む
請求項１５〜１７のいずれか一項に記載のネットワーク要素。
【請求項２２】
前記ネットワーク要素は、事前に取得された前記ユーザ機器の通信リンクベアラステータス情報に基づいて、アクティブ状態にある通信リンクを判定するように構成された第２の処理ユニットをさらに備え、
送信ユニットが前記ユーザ機器に前記第２のセッションメッセージを送ることは、以下の動作、即ち、
前記ユーザ機器に、前記アクティブ状態の前記通信リンクに対応する前記第２のセッションメッセージを送ること
を実施することを特に含む
請求項１５〜２１のいずれか一項に記載のネットワーク要素。
【請求項２３】
前記第２の制御プレーンネットワーク要素から前記ＵＥコンテキスト応答メッセージを受信する前に、前記受信ユニットは、
前記ユーザ機器によって送られたロケーション更新要求メッセージを受信することであって、前記ロケーション更新要求メッセージは、前記第２の制御プレーンネットワーク要素のアドレスを導出するために使用される情報を搬送する、こと
を行うようにさらに構成された
請求項１５〜２２のいずれか一項に記載のネットワーク要素。
【請求項２４】
前記第２の制御プレーンネットワーク要素から前記ＵＥコンテキスト応答メッセージを受信する前に、前記受信ユニットは、
前記ＭＭネットワーク要素によって送られたＰＤＵセッション再配置要求メッセージを受信することであって、前記ＰＤＵセッション再配置要求メッセージは、前記第２の制御プレーンネットワーク要素のアドレスを導出するために使用される情報を搬送する、こと
を行うようにさらに構成された
請求項１５〜２２のいずれか一項に記載のネットワーク要素。
【請求項２５】
前記第２の制御プレーンネットワーク要素から前記ＵＥコンテキスト応答メッセージを受信する前に、前記受信ユニットは、
前記ユーザ機器によって送られたＰＤＵセッション更新要求メッセージを受信することであって、前記ＰＤＵセッション更新要求メッセージは、前記第２の制御プレーンネットワーク要素のアドレスを導出するために使用される情報を搬送する、こと
を行うようにさらに構成された
請求項１５〜２２のいずれか一項に記載のネットワーク要素。
【請求項２６】
前記送信ユニットは、前記第２の制御プレーンネットワーク要素にコンテキスト要求メッセージを送るようにさらに構成され、
受信ユニットが第２の制御プレーンネットワーク要素からＵＥコンテキスト応答メッセージを受信することは、以下の動作、即ち、
前記コンテキスト要求メッセージに従って前記第２の制御プレーンネットワーク要素によって送られた前記ＵＥコンテキスト応答メッセージを受信すること
を実施することを特に含む
請求項１５〜２５のいずれか一項に記載のネットワーク要素。
【請求項２７】
前記第１の制御プレーンネットワーク要素はターゲットＳＭネットワーク要素であり、前記第２の制御プレーンネットワーク要素はソースＳＭネットワーク要素であり、前記ＵＥコンテキスト応答メッセージはＳＭコンテキスト応答メッセージである
請求項１５〜２６のいずれか一項に記載のネットワーク要素。
【請求項２８】
前記送信ユニットは、ポリシー機能ＰＦネットワーク要素にＰＤＵセッション同期通知メッセージを送るようにさらに構成された
請求項１５〜２７のいずれか一項に記載のネットワーク要素。
【発明の詳細な説明】
【技術分野】
【０００１】
本発明の実施形態は、ワイヤレス通信分野に関し、詳細には、セッション管理方法及びセッション管理ネットワーク要素に関する。
【背景技術】
【０００２】
発展型パケットシステム（英語：Ｅｖｏｌｖｅｄ  Ｐａｃｋｅｔ  Ｓｙｓｔｅｍ、略してＥＰＳ）のセッション管理中に、ユーザ機器（英語：Ｕｓｅｒ  Ｅｑｕｉｐｍｅｎｔ、略してＵＥ）とネットワーク側との間でセッションのコンテキストが同期される必要がある。具体的には、セッションのベアラコンテキストが同期される必要がある。ユーザ機器又はネットワーク側によってベアラコンテキストのセットアップ、変更、及び削除が開始され得る。現在、ネットワーク側がベアラコンテキストのセットアップ、変更、及び削除手順を開始したとき、ネットワーク側は、ＵＥ側とネットワーク側との間でセッション情報が同期されるように、セッションに関する（ベアラを削除すること、ベアラを変更すること、又はベアラをセットアップすることに関する）情報をユーザ機器に直ちに通知する必要がある。ネットワーク側が上記の手順を開始したとき、ＵＥがアイドル状態にある場合、ネットワークは、ＵＥが接続状態に入るようにページング手順を開始し、変更されたセッション情報をＵＥに同期させる。エアインターフェースシグナリングのオーバーヘッドを最大限に最小化するために、非同期セッション管理手順が提案されている。具体的には、ネットワーク側がセッション変更を開始したとき、開始されたセッション変更は、ＵＥに直ちに同期されないことがある。ＵＥがアイドル状態にあるとき、ネットワーク側ノードは、ＵＥに対してページング手順を開始せず、開始されたセッション変更要求を処理されるべきメッセージとして記録し、セッション変更要求メッセージを記憶する。セッション変更要求情報がＵＥに送られない期間中にＵＥがネットワーク側に対してロケーション更新手順を開始した場合、現在、処理されるべきメッセージをネットワーク側が処理するための対応するセッション管理方法がない。
【発明の概要】
【０００３】
本発明の実施形態は、ユーザ機器の制御プレーン接続が変化するシナリオにおいてセッションを管理するための、セッション管理方法及びセッション管理ネットワーク要素を提供する。
【０００４】
第１の態様によれば、本発明の一実施形態は、第１の制御プレーンネットワーク要素によって、第２の制御プレーンネットワーク要素からユーザ機器ＵＥコンテキスト応答メッセージを受信するステップであって、ＵＥコンテキスト応答メッセージは第１のセッションメッセージを搬送し、第１のセッションメッセージは保留セッションメッセージである、ステップと、第１の制御プレーンネットワーク要素によって、ＵＥコンテキスト応答メッセージに従ってユーザ機器に第２のセッションメッセージを送るステップとを含む、セッション管理方法を提供する。
【０００５】
本発明のこの実施形態の解決策では、ユーザ機器の制御プレーン接続が変化し、ユーザ機器に同期される必要がある保留セッションメッセージが、ユーザ機器の（第２の制御プレーンネットワーク要素に対応する）ソース制御プレーンネットワーク要素上に存在するとき、第１の制御プレーンネットワーク要素（ユーザ機器に新たに接続された制御プレーンネットワーク要素）は、第２の制御プレーンネットワーク要素からＵＥコンテキスト応答メッセージを取得し、ＵＥコンテキスト応答メッセージは第１のセッションメッセージを搬送し、第１のセッションメッセージは上記の保留セッションメッセージである。第１の制御プレーンネットワーク要素は、受信されたＵＥコンテキスト応答メッセージに従ってユーザ機器に第２のセッションメッセージを送って、ユーザ機器に保留セッションメッセージを送る。このようにして、ユーザ機器の制御プレーン接続が変化するシナリオにおいてセッションが管理されることが可能である。
【０００６】
可能な設計では、第１のセッションメッセージは第２のセッションメッセージと同じである。この実装では、ＵＥコンテキスト応答メッセージを受信した後に、第１の制御プレーンネットワーク要素は、第２のセッションメッセージとしてユーザ機器にＵＥコンテキスト応答メッセージ中で搬送される保留セッションメッセージを送る。
【０００７】
可能な設計では、第２のセッションメッセージは、第１のセッションメッセージに基づいて生成される。この実装では、ＵＥコンテキスト応答メッセージを受信した後に、第１の制御プレーンネットワーク要素は、ＵＥコンテキスト応答メッセージ中で搬送される第１のセッションメッセージに基づいて第２のセッションメッセージを生成し、保留セッションメッセージとしてユーザ機器に第２のセッションメッセージを送る。
【０００８】
可能な設計では、第２のセッションメッセージはセッション管理メッセージであり、
第１の制御プレーンネットワーク要素によって、ＵＥコンテキスト応答メッセージに従ってユーザ機器に第２のセッションメッセージを送るステップは、
第１の制御プレーンネットワーク要素によって、第１のセッションメッセージに従ってモビリティ管理ＭＭネットワーク要素にプロトコルデータユニットＰＤＵセッション再配置応答メッセージを送るステップであって、ＰＤＵセッション再配置応答メッセージはセッション管理メッセージを搬送し、それにより、ＭＭネットワーク要素はユーザ機器にセッション管理メッセージを送る、ステップを含む。
【０００９】
可能な設計では、第２のセッションメッセージはセッション管理メッセージであり、
第１の制御プレーンネットワーク要素によって、ＵＥコンテキスト応答メッセージに従ってユーザ機器に第２のセッションメッセージを送るステップは、
第１の制御プレーンネットワーク要素によって、第１のセッションメッセージに従ってユーザ機器にロケーション更新受付メッセージを送るステップであって、ロケーション更新受付メッセージはセッション管理メッセージを搬送する、ステップを含む。
【００１０】
可能な設計では、第２のセッションメッセージはセッション管理メッセージであり、
第１の制御プレーンネットワーク要素によって、ＵＥコンテキスト応答メッセージに従ってユーザ機器に第２のセッションメッセージを送るステップは、
第１のセッションメッセージに従って第１の制御プレーンネットワーク要素によって、ユーザ機器によってアクセスされるアクセスネットワーク要素にコンテキストセットアップ要求メッセージを送るステップであって、コンテキストセットアップ要求メッセージはセッション管理メッセージを搬送し、それにより、アクセスネットワーク要素は、無線リソース制御ＲＲＣ再構成を通してユーザ機器にセッション管理メッセージを送る、ステップを含む。
【００１１】
可能な設計では、第２のセッションメッセージはセッション管理メッセージであり、
第１の制御プレーンネットワーク要素によって、ＵＥコンテキスト応答メッセージに従ってユーザ機器に第２のセッションメッセージを送るステップは、
第１の制御プレーンネットワーク要素によって、第１のセッションメッセージに従ってユーザ機器にＰＤＵセッション更新応答メッセージを送るステップであって、ＰＤＵセッション更新応答メッセージはセッション管理メッセージを搬送する、ステップを含む。
【００１２】
可能な設計では、第１の制御プレーンネットワーク要素によって、ユーザ機器に第２のセッションメッセージを送るステップは、
事前に取得されたユーザ機器の通信リンクベアラステータス情報に基づいて第１の制御プレーンネットワーク要素によって、アクティブ状態にある通信リンクを判定するステップと、
ユーザ機器に第１の制御プレーンネットワーク要素によって、アクティブ状態の通信リンクに対応する第２のセッションメッセージを送るステップとを含む。
【００１３】
可能な設計では、第１の制御プレーンネットワーク要素によって、第２の制御プレーンネットワーク要素からＵＥコンテキスト応答メッセージを受信するステップの前に、本方法は、
第１の制御プレーンネットワーク要素によって、ユーザ機器によって送られたロケーション更新要求メッセージを受信するステップであって、ロケーション更新要求メッセージは、第２の制御プレーンネットワーク要素のアドレスを導出するために使用される情報を搬送する、ステップをさらに含む。
【００１４】
可能な設計では、第１の制御プレーンネットワーク要素によって、第２の制御プレーンネットワーク要素からＵＥコンテキスト応答メッセージを受信するステップの前に、本方法は、
第１の制御プレーンネットワーク要素によって、ＭＭネットワーク要素によって送られたＰＤＵセッション再配置要求メッセージを受信するステップであって、ＰＤＵセッション再配置要求メッセージは、第２の制御プレーンネットワーク要素のアドレスを導出するために使用される情報を搬送する、ステップをさらに含む。
【００１５】
可能な設計では、第１の制御プレーンネットワーク要素によって、第２の制御プレーンネットワーク要素からＵＥコンテキスト応答メッセージを受信するステップの前に、本方法は、
第１の制御プレーンネットワーク要素によって、ユーザ機器によって送られたＰＤＵセッション更新要求メッセージを受信するステップであって、ＰＤＵセッション更新要求メッセージは、第２の制御プレーンネットワーク要素のアドレスを導出するために使用される情報を搬送する、ステップをさらに含む。
【００１６】
可能な設計では、第１の制御プレーンネットワーク要素によって、第２の制御プレーンネットワーク要素からＵＥコンテキスト応答メッセージを受信するステップは、
第１の制御プレーンネットワーク要素によって、第２の制御プレーンネットワーク要素にコンテキスト要求メッセージを送るステップと、
第１の制御プレーンネットワーク要素によって、コンテキスト要求メッセージに従って第２の制御プレーンネットワーク要素によって送られたＵＥコンテキスト応答メッセージを受信するステップとを含む。
【００１７】
可能な設計では、第１の制御プレーンネットワーク要素はターゲットＳＭネットワーク要素であり、第２の制御プレーンネットワーク要素はソースＳＭネットワーク要素であり、ＵＥコンテキスト応答メッセージはＳＭコンテキスト応答メッセージである。
【００１８】
可能な設計では、本方法は、
第１の制御プレーンネットワーク要素によって、ポリシー機能ＰＦネットワーク要素にＰＤＵセッション同期通知メッセージを送るステップをさらに含む。
【００１９】
別の態様によれば、本発明の一実施形態はセッション管理ネットワーク要素を提供する。このネットワーク要素は、上記の方法実施形態において第１の制御プレーンネットワーク要素の挙動を実装する機能を有する。機能は、ハードウェアによって実装され得るか、又は対応するソフトウェアを実行することによってハードウェアによって実装され得る。ハードウェア又はソフトウェアは、上記の機能に対応する１つ又は複数のモジュールを含む。
【００２０】
可能な設計では、ネットワーク要素は、第１の制御プレーンネットワーク要素中に展開され、受信ユニット及び送信ユニットを含み、受信ユニットは、第２の制御プレーンネットワーク要素からユーザ機器ＵＥコンテキスト応答メッセージを受信するように構成され、ＵＥコンテキスト応答メッセージは第１のセッションメッセージを搬送し、第１のセッションメッセージは保留セッションメッセージであり、送信ユニットは、ＵＥコンテキスト応答メッセージに従ってユーザ機器に第２のセッションメッセージを送るように構成される。
【００２１】
本発明のこの実施形態の解決策では、送信ユニットは、上記の方法実施形態における送信ステップを実施するようにさらに構成され、受信ユニットは、上記の方法実施形態における受信ステップを実施するようにさらに構成される。
【００２２】
可能な設計では、セッション管理ネットワーク要素は、第１の制御プレーンネットワーク要素中に展開され、送信機、受信機、及びプロセッサを含み、受信機は、プロセッサの制御下で第２の制御プレーンネットワーク要素からＵＥコンテキスト応答メッセージを受信するように構成され、ＵＥコンテキスト応答メッセージは第１のセッションメッセージを搬送し、第１のセッションメッセージは保留セッションメッセージであり、送信機は、プロセッサの制御下でＵＥコンテキスト応答メッセージに従ってユーザ機器に第２のセッションメッセージを送るように構成される。
【００２３】
本発明のこの実施形態の解決策では、送信機は、上記の方法実施形態における送信ステップを実施するようにさらに構成され、受信機は、上記の方法実施形態における受信ステップを実施するようにさらに構成される。
【００２４】
さらに別の態様によれば、本発明の一実施形態は、上記のセッション管理ネットワーク要素によって使用されるコンピュータソフトウェア命令を記憶するように構成されたコンピュータ記憶媒体を提供し、コンピュータソフトウェア命令は、上記の態様を実行するために設計されたプログラムを含む。
【００２５】
本発明の実施形態におけるセッション管理方法及びセッション管理ネットワーク要素によれば、セッションは、ユーザ機器の制御プレーン接続が変化するシナリオにおいて管理されることが可能である。
【図面の簡単な説明】
【００２６】
本発明における技術的解決策についてより明確に説明するために、以下で、実施形態について説明するために必要とされる添付の図面について手短に説明する。明らかに、当業者は、創造的な取り組みなしにこれらの添付の図面から他の図面を導出し得る。
【００２７】
【図１】本発明による可能な適用シナリオの概略図である。
【図２】本発明による別の可能な適用シナリオの概略図である。
【図３】本発明の実施形態１によるセッション管理方法のフローチャートである。
【図４Ａ】本発明の実施形態２によるセッション管理方法のフローチャートである。
【図４Ｂ】本発明の実施形態２によるセッション管理方法のフローチャートである。
【図５】本発明の実施形態３によるセッション管理方法のフローチャートである。
【図６Ａ】本発明の実施形態４によるセッション管理方法のフローチャートである。
【図６Ｂ】本発明の実施形態４によるセッション管理方法のフローチャートである。
【図７Ａ】本発明の実施形態５によるセッション管理方法のフローチャートである。
【図７Ｂ】本発明の実施形態５によるセッション管理方法のフローチャートである。
【図８Ａ】本発明の実施形態６によるセッション管理方法のフローチャートである。
【図８Ｂ】本発明の実施形態６によるセッション管理方法のフローチャートである。
【図９】本発明の一実施形態によるセッション管理ネットワーク要素の概略構造図である。
【図１０】本発明の一実施形態による別のセッション管理ネットワーク要素の概略構造図である。
【発明を実施するための形態】
【００２８】
本発明の実施形態において提供されるセッション管理解決策は、様々な通信システムにおけるセッション管理に適用されてよく、特に、ユーザ機器に接続された制御プレーンネットワーク要素が変化するセッション管理に適用され得る。例えば、本発明の実施形態における解決策は、ＥＰＳシステム又は５Ｇネットワークなどの通信システムに適用され得る。
【００２９】
以下で、特定のシステムシナリオを参照しながら本発明の実施形態におけるセッション管理方法について詳細に説明する。本発明の実施形態において説明されるシステムシナリオは、本発明の実施形態の技術的解決策についてより明確に説明するためのものであり、本発明の実施形態において提供される技術的解決策に対するいかなる限定ともならないことに留意されたい。当業者は、ネットワークアーキテクチャの発展及び新しいサービスシナリオの出現とともに、本発明の実施形態において提供される技術的解決策が、同様の技術的問題にも適用可能であることを知っていよう。
【００３０】
図１は、本発明による可能な適用シナリオの概略図である。図１に示されているシナリオには、ＵＥ、アクセスネットワーク（英語：Ａｃｃｅｓｓ  Ｎｅｔｗｏｒｋ、略してＡＮ）要素、ユーザプレーン（英語：Ｕｓｅｒ  Ｐｌａｎｅ、略してＵＰ）ネットワーク要素、制御プレーン（英語：Ｃｏｎｔｒｏｌ  Ｐｌａｎｅ、略してＣＰ）ネットワーク要素、及びポリシー機能（英語：Ｐｏｌｉｃｙ  Ｆｕｎｃｔｉｏｎ、略してＰＦ）ネットワーク要素が含まれる。
【００３１】
図２は、本発明による別の可能な適用シナリオの概略図である。図２に示されているシナリオでは、ＣＰネットワーク要素は、図１に基づいてモビリティ管理（英語：Ｍｏｂｉｌｉｔｙ  Ｍａｎａｇｅｍｅｎｔ、略してＭＭ）ネットワーク要素及びセッション管理（英語：Ｓｅｓｓｉｏｎ  Ｍａｎａｇｅｍｅｎｔ、略してＳＭ）ネットワーク要素にさらに分割される。図１に示されているように、コアネットワークにおけるＣＰ機能（ｆｕｎｃｔｉｏｎ）及びＵＰ機能は分離される。任意選択で、複数のＣＰネットワーク要素及び複数のＵＰネットワーク要素があってよい。ＣＰネットワーク要素はシグナリング対話のために使用され、ＵＰネットワーク要素はデータ送信のために使用される。
【００３２】
理解を容易にするために、本発明の実施形態における適用シナリオについて、添付の図面を参照しながら最初に説明される。図１は、本発明の一実施形態による適用シナリオの概略図である。この適用シナリオには、ユーザ機器と、アクセスネットワークデバイスと、コアネットワークについてのものである、制御プレーン機能ネットワーク要素、ユーザプレーン機能ネットワーク要素、及びポリシー機能ネットワーク要素とが含まれる。図２に示されているように、いくつかの実施形態では、制御プレーン機能ネットワーク要素は、モビリティ管理ネットワーク要素及びセッション管理ネットワーク要素を含み得る。
【００３３】
ユーザ機器は、モバイルフォン、タブレットコンピュータ、ノートブックコンピュータ、パーソナルコンピュータ（英語の完全な名称：Ｐｅｒｓｏｎａｌ  Ｃｏｍｐｕｔｅｒ、ＰＣ）、ウルトラモバイルパーソナルコンピュータ（英語の完全な名称：Ｕｌｔｒａ−Ｍｏｂｉｌｅ  Ｐｅｒｓｏｎａｌ  Ｃｏｍｐｕｔｅｒ、ＵＭＰＣ）、ネットブック、携帯情報端末（英語の完全な名称：Ｐｅｒｓｏｎａｌ  Ｄｉｇｉｔａｌ  Ａｓｓｉｓｔａｎｔ、ＰＤＡ）、車載デバイスなどであり得る。説明を容易にするために、本出願では、上述のデバイスはユーザ機器又はＵＥと総称される。アクセスネットワークデバイスは、次世代アクセスネットワーク（ＮｅｘｔＧｅｎ  Ａｃｃｅｓｓ  Ｎｅｔｗｏｒｋ、ＮＧ  ＡＮ）中のｅＮＢ（発展型ノードＢ）又はアクセスネットワークデバイスなど、発展型ＵＭＴＳ地上波無線アクセスネットワーク（英語：ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ、略してＥ−ＵＴＲＡＮ）中のアクセスデバイスであり得る。制御プレーン機能ネットワーク要素は、制御プレーン機能を実装するために使用され、特にシグナリング対話のために使用される。制御プレーン機能ネットワーク要素がモビリティ管理ネットワーク要素及びセッション管理ネットワーク要素を含むことができるとき、モビリティ管理ネットワーク要素は、ユーザ機器の登録管理、アクセシビリティテスト、制御プレーン及びユーザプレーンのネットワーク機能の割り振り、モビリティ管理、アドレス指定、並びに識別子管理などの処理を実行するように構成される。セッション管理ネットワーク要素は、ＵＥのＩＰサービス接続及びＵＥの非ＩＰサービス接続のセットアップを管理し、それらの接続に対応するユーザプレーンを管理するように構成される。ユーザプレーン機能ネットワーク要素は、ユーザプレーン機能を実装するために使用され、特にユーザデータを送信するために使用される。ポリシー機能ネットワーク要素は、ポリシー決定、ポリシープロビジョニング、イベント報告などのために使用される。ポリシーは、例えば、ＱｏＳ制御ポリシー、課金ポリシー、セッション管理ポリシー、及びモビリティ管理ポリシーを含む。
【００３４】
実際の適用展開では、図１中に２つ以上の制御プレーンネットワーク要素があってよく、図２中に２つ以上のセッション管理ネットワーク要素があってよいことに留意されたい。
【００３５】
セッション管理方法の以下の実施形態について、ユーザ機器がＵＥである例を使用することによって説明される。
【００３６】
実施形態１
図３は、本発明の実施形態１によるセッション管理方法のフローチャートである。図３に示されている方法は、図１、図２、又は別の同様のシナリオに基づいて実施され得る。例えば、図１に示されているシナリオでは、制御プレーン接続が変化した後にＵＥに接続される制御プレーンネットワーク要素は第１のＣＰネットワーク要素と呼ばれ、制御プレーン接続が変化する前にＵＥに接続されるソースＣＰネットワーク要素は第２のＣＰネットワーク要素と呼ばれる。別の例では、図２に示されているシナリオでは、制御プレーン接続が変化した後にＵＥに接続される制御プレーンネットワーク要素はターゲットＳＭネットワーク要素と呼ばれ、制御プレーン接続が変化する前にＵＥに接続される制御プレーンネットワーク要素はソースＳＭネットワーク要素と呼ばれる。図１のシナリオでは、本発明のこの実施形態における方法の実行本体は第１のＣＰネットワーク要素である。図２のシナリオでは、本発明のこの実施形態における方法の実行本体はターゲットＳＭネットワーク要素である。説明を容易にするために、この実施形態における解決策では、説明のための実行本体として第１のＣＰネットワーク要素が使用される。
【００３７】
図３に示されているように、本発明のこの実施形態における方法は以下のステップを含む。
【００３８】
ステップＳ２０１：第１のＣＰネットワーク要素が、第２のＣＰネットワーク要素からＵＥコンテキスト応答メッセージを受信し、ＵＥコンテキスト応答メッセージは第１のセッションメッセージを搬送し、第１のセッションメッセージは保留セッションメッセージである。
【００３９】
ステップＳ２０２：第１のＣＰネットワーク要素が、ＵＥコンテキスト応答メッセージに従ってＵＥに第２のセッションメッセージを送る。
【００４０】
上記の第１のセッションメッセージはセッション管理メッセージであり得る。例えば、第１のセッションメッセージは、第２のＣＰネットワーク要素によって受信された未処理のセッション管理メッセージ及び／又は第２のＣＰネットワーク要素によってＵＥに送られていないセッション管理メッセージを含む。より詳細には、第１のセッションメッセージは、受信された未処理のセッション管理メッセージに基づいて第２のＣＰネットワーク要素によって生成されたＮＡＳのセッション管理メッセージであることがあり、さらに、セッション管理メッセージは、保留（ｐｅｎｄｉｎｇ）セッション情報を含み得る。
【００４１】
可能な実装では、第２のセッションメッセージは第１のセッションメッセージと同じである。例えば、第２のセッションメッセージは、第１のセッションメッセージと同じであるセッション管理メッセージである。
【００４２】
別の可能な実装では、第２のセッションメッセージは、第１のセッションメッセージに基づいて生成される。例えば、第１のセッションメッセージは第１のセッション管理メッセージであり、第２のセッションメッセージは第２のセッション管理メッセージである。第１のＣＰネットワーク要素がＵＥコンテキスト応答メッセージに従ってＵＥに第２のセッションメッセージを送ることは、第１のＣＰネットワーク要素によって、第１のセッション管理メッセージに基づいて第２のセッション管理メッセージを生成することと、第１のＣＰネットワーク要素によって、ＵＥに第２のセッション管理メッセージを送ることとを含む。例えば、第１のセッション管理メッセージは、ＮＡＳのセッション管理メッセージであり、第２のセッションメッセージは、ＮＡＳのセッション管理メッセージに基づいて生成されるセッション管理要求メッセージである。
【００４３】
本発明のこの実施形態における解決策では、ＵＥコンテキスト応答メッセージを受信した後に、第１のＣＰネットワーク要素は、保留セッションメッセージがＵＥに送られる必要があるかどうかを判定する必要がさらにある。特定の方式は、第１のＣＰネットワーク要素によって、第２のＣＰネットワーク要素から受信されたＵＥコンテキスト応答メッセージが第１のセッションメッセージを含むかどうかを判定することと、ＵＥコンテキスト応答メッセージが第１のセッションメッセージを含む場合、第１のＣＰネットワーク要素によって、ＵＥに第２のセッションメッセージを送るステップを実施することとを含む。例えば、第１のＣＰネットワーク要素は、第２のセッションメッセージとしてＵＥに第１のセッションメッセージを直接送るか、又は第１のセッションメッセージに基づいて第２のセッションメッセージを生成し、第２のセッションメッセージをＵＥに送る。
【００４４】
別の可能な方式では、第１のＣＰネットワーク要素は、ＵＥから事前に、ＵＥとネットワークとの間のセッションセットアップの通信リンクのステータス情報を取得する。ＵＥコンテキスト応答メッセージを受信した後に、第１のＣＰネットワーク要素は、ステータス情報に基づいて、アクティブ状態の通信リンクが存在するかどうか、及びアクティブ状態の通信リンクに対応するセッションメッセージが第１のセッションメッセージ中に存在するかどうかを判定し、アクティブ状態の通信リンクに対応するセッションメッセージが存在する場合、第１のＣＰネットワーク要素は、第２のセッションメッセージとしてＵＥにアクティブ状態の通信リンクに対応するセッションメッセージを送るか、又は第１のＣＰネットワーク要素は、アクティブ状態の通信リンクに対応するセッションメッセージに基づいて第２のセッションメッセージを生成し、第２のセッションメッセージをＵＥに送る。
【００４５】
本発明のこの実施形態の解決策では、第１のセッションメッセージと第２のセッションメッセージの両方が、保留セッション情報を含み得る。
【００４６】
別の可能な実施形態では、第２のＣＰネットワーク要素によってＵＥに送られないセッションコンテキストが、第１のＣＰネットワーク要素によってＵＥに送られるために、第１のＣＰネットワーク要素によって受信されたＵＥコンテキスト応答メッセージは、ＵＥに同期される必要がある保留セッション情報を直接搬送してよく、対応する第１のＣＰネットワーク要素は、ＵＥコンテキスト応答メッセージ中で保留セッション情報をＵＥに送る。
【００４７】
上記の保留セッション情報は、第２のＣＰネットワーク要素によって受信された元の保留セッション情報を含むことがあり、第１のＣＰネットワーク要素が元の保留セッション情報を受信した後に、パース又は変換などの処理が必要とされる。さらに、上記の保留セッション情報は、変換なしにＵＥに直接送られ得るセッション情報をさらに含み得る。より詳細には、上記の保留セッション情報は、ＵＥとネットワークとの間のセッションセットアップにおける１つ又は複数の通信リンクに対応するコンテキスト情報を含む。例えば、保留セッション情報は、１つ又は複数の通信リンクについてのものである識別子情報、ステータス情報、ＱｏＳ情報、及びサービスフロー情報を含む。
【００４８】
実施形態２
図４Ａ及び図４Ｂは、本発明の実施形態２によるセッション管理方法のフローチャートである。図４Ａ及び図４Ｂに示されている方法は、図１に示されているシナリオに基づいて実施される。本発明のこの実施形態における解決策では、制御プレーン接続が変化した後にＵＥに接続される制御プレーンネットワーク要素は第１のＣＰネットワーク要素と呼ばれ、制御プレーン接続が変化する前にＵＥに接続されるソースＣＰネットワーク要素は第２のＣＰネットワーク要素と呼ばれる。図４Ａ及び図４Ｂに示されている方法の処理ステップは以下の通りである。
【００４９】
ステップＳ３０１：ＵＥが第１のＣＰネットワーク要素にロケーション更新要求メッセージを送る。
【００５０】
例えば、ＵＥがアイドル状態にあり、ロケーション更新を開始する必要があるとき、ＵＥは第１のＣＰネットワーク要素にロケーション更新要求メッセージを送る。
【００５１】
ロケーション更新要求メッセージは、トラッキングエリア更新（英語：Ｔｒａｃｋｉｎｇ  Ａｒｅａ  Ｕｐｄａｔｅ、略してＴＡＵ）要求メッセージ（ＴＡＵ  ｒｅｑｕｅｓｔ  ｍｅｓｓａｇｅ）であり得る。ロケーション更新要求メッセージがＴＡＵ要求メッセージであるとき、ＴＡＵ要求メッセージは、ＣＰ接続が変化する前にＵＥに接続される第２のＣＰネットワーク要素のアドレス、及び第２のＣＰネットワーク要素によってＵＥに割り振られるユーザ機器識別情報、例えば、グローバル一意一時ＵＥ識別情報（英語：Ｇｌｏｂａｌｌｙ  Ｕｎｉｑｕｅ  Ｔｅｍｐｏｒａｒｙ  ＵＥ  Ｉｄｅｎｔｉｔｙ、略してＧＵＴＩ）を導出するために使用される情報を搬送し得る。さらに、ＴＡＵ要求メッセージは、ＵＥとネットワークとの間のセッションセットアップの通信リンクのステータス情報、例えば、ベアラステータス情報をさらに搬送し得る。
【００５２】
ステップＳ３０２：第１のＣＰネットワーク要素が、第２のＣＰネットワーク要素にコンテキスト要求メッセージ（Ｃｏｎｔｅｘｔ  ｒｅｑｕｅｓｔ  ｍｅｓｓａｇｅ）を送る。
【００５３】
このステップでは、第１のＣＰネットワーク要素は、ＴＡＵ要求メッセージ中で搬送される情報に基づいて第２のＣＰネットワーク要素のアドレスを導出する。第１のＣＰネットワーク要素は、第２のＣＰネットワーク要素にコンテキスト要求メッセージを送る。
【００５４】
ステップＳ３０３：第２のＣＰネットワーク要素が、第１のＣＰネットワーク要素にＵＥコンテキスト応答メッセージ（Ｃｏｎｔｅｘｔ  ｒｅｓｐｏｎｓｅ  ｍｅｓｓａｇｅ）を送る。
【００５５】
ＵＥコンテキスト応答メッセージは第１のセッションメッセージを搬送する。第１のセッションメッセージの特定のフォーマット及びコンテンツについては、実施形態１を参照されたい。詳細について再び説明されない。
【００５６】
ステップＳ３０４：第１のＣＰネットワーク要素が、第２のＣＰネットワーク要素にコンテキスト肯定応答メッセージ（Ｃｏｎｔｅｘｔ  Ａｃｋｎｏｗｌｅｄｇｅ  ｍｅｓｓａｇｅ）を送る。
【００５７】
特に、ＵＥコンテキスト応答メッセージを受信した後に、第１のＣＰネットワーク要素は、第２のＣＰネットワーク要素にコンテキスト肯定応答メッセージを送って、第１のＣＰネットワーク要素がＵＥコンテキスト応答メッセージを受信したことを第２のＣＰネットワーク要素に通知し、さらに、第２のＣＰネットワーク要素は、ＵＥのコンテキスト情報を削除するか、又はＵＥのコンテキスト情報が無効であるか若しくは利用不可能であることを識別し得る。
【００５８】
任意選択で、ＵＥコンテキスト応答メッセージを受信した後に、第１のＣＰネットワーク要素は、ＵＥコンテキスト応答メッセージ中の第１のセッションメッセージがＵＥに送られる必要があるかどうかをさらに判定する。判定方法については、実施形態１を参照されたい。第１のセッションメッセージがＵＥに送られる必要があると第１のＣＰネットワーク要素が判定したとき、第１のＣＰネットワーク要素は、この実施形態におけるすべての後続のステップを実施する。第１のセッションメッセージがＵＥに送られる必要がないと第１のＣＰネットワーク要素が判定した場合、第１のＣＰネットワーク要素は、ステップＳ３０５、Ｓ３１０、及びＳ３１３における可能なステップを実施する。
【００５９】
ステップＳ３０５：第１のＣＰネットワーク要素が、ＵＥにロケーション更新完了メッセージ、例えば、ＴＡＵ受付メッセージ（ＴＡＵ  Ａｃｃｅｐｔ  ｍｅｓｓａｇｅ）を送る。
【００６０】
ステップＳ３０５は、ステップＳ３０４が実施された後の任意の時間に実施され得ることに留意されたい。例えば、別の可能な実施解決策では、ステップＳ３０５は、本発明のこの実施形態におけるステップＳ３１２の後に実施されてもよい。これは、ここでは限定されない。
【００６１】
ステップＳ３０６：第１のＣＰネットワーク要素が、ＡＮ要素にコンテキストセットアップ要求メッセージ（Ｃｏｎｔｅｘｔ  Ｓｅｔｕｐ  ｒｅｑｕｅｓｔ  ｍｅｓｓａｇｅ）を送る。
【００６２】
コンテキストセットアップ要求メッセージは第２のセッションメッセージを搬送する。任意選択で、第２のセッションメッセージはセッション管理メッセージである。例えば、第２のセッションメッセージはセッション管理メッセージである。特に、セッション管理メッセージは、ＵＥとネットワークとの間のセッションセットアップにおける複数の通信リンクに対応するコンテキスト情報を含む。特に、セッション情報は、通信リンクの識別子、通信リンクによって使用されるＱｏＳ情報及びサービスフロー情報などを含み得る。セッション情報は、保留セッションに基づいて判定された、更新された通信リンク情報を含み得る。
【００６３】
さらに、コンテキストセットアップ要求メッセージは、１つ又は複数の保留セッション管理要求をさらに含むことがあり、保留セッション管理要求は、ＵＥとネットワークとの間のセッションセットアップにおける通信リンクに対応する変更されたコンテキスト情報を含む。特定の情報は、ＱｏＳ情報、サービスフロー情報などを含み得る。
【００６４】
特に、第１のセッションメッセージがＵＥに対して更新される必要があるとき、例えば、第１のセッションメッセージ中で搬送される保留セッション情報がＵＥに対して更新される必要があるとき、第１のＣＰネットワーク要素は、ＡＮ要素にコンテキストセットアップ要求メッセージを送る。
【００６５】
第１のセッションメッセージ中に複数の保留セッションがあるとき、これらの複数の保留セッションは、１つのセッション管理メッセージ中に入れられるか、又は複数のセッション管理メッセージ中にそれぞれ含められ得る。
【００６６】
さらに、任意選択で、上記のコンテキストセットアップ要求メッセージはまた、セッション管理のために使用されるコンテキスト変更要求メッセージ又は別の要求メッセージであり得る。
【００６７】
ステップＳ３０７：ＡＮ要素が、ＵＥに無線リソース制御（英語：Ｒａｄｉｏ  Ｒｅｓｏｕｒｃｅ  Ｃｏｎｔｒｏｌ、略してＲＲＣ）再構成メッセージ（ＲＲＣ  ｒｅｃｏｎｆｉｇ  ｍｅｓｓａｇｅ）を送る。
【００６８】
ＲＲＣ再構成メッセージは１つ又は複数のセッション管理メッセージを含む。
【００６９】
特に、コンテキストセットアップ要求メッセージを受信した後に、ＡＮ要素は、１つ又は複数のセッション管理メッセージを含むＲＲＣ再構成メッセージをＵＥに送る。
【００７０】
セッション管理メッセージを受信した後に、ＵＥは、ＵＥに保留セッションを送る処理を実行する。
【００７１】
ステップＳ３０８：ＵＥが、ＡＮ要素にＲＲＣ再構成応答メッセージ（ＲＲＣ  ｒｅｃｏｎｆｉｇ  ｒｅｓｐｏｎｓｅ  ｍｅｓｓａｇｅ）を送る。
【００７２】
ＲＲＣ再構成応答メッセージはセッション管理応答メッセージを含む。セッション管理応答メッセージは、ＵＥのセッション同期の結果値、例えば、同期が成功する又は同期が失敗するを含む。同期が失敗したとき、その失敗の原因値、例えば、通信リンクが削除されたが搬送される。
【００７３】
特に、ＲＲＣ再構成メッセージを受信した後に、ＵＥは、ＲＲＣ再構成メッセージ中のセッション管理要求に基づいてＵＥ上のセッション情報を更新し、ＲＲＣ再構成メッセージに基づいて、セッション管理応答メッセージを含むＲＲＣ再構成応答メッセージを生成する。セッション管理応答メッセージは、セッション管理要求に対するＵＥの応答メッセージである。
【００７４】
ステップＳ３０９：ＡＮ要素が、第１のＣＰネットワーク要素にコンテキストセットアップ応答メッセージ（Ｃｏｎｔｅｘｔ  Ｓｅｔｕｐ  ｒｅｓｐｏｎｓｅ  ｍｅｓｓａｇｅ）を送る。
【００７５】
コンテキストセットアップ応答メッセージはセッション管理応答メッセージを含む。
【００７６】
特に、ＲＲＣ再構成応答メッセージを受信した後に、ＡＮ要素は、第１のＣＰネットワーク要素にコンテキストセットアップ応答メッセージを送る。
【００７７】
ステップＳ３１０：第１のＣＰネットワーク要素が、ＵＰネットワーク要素にプロトコルデータユニット（英語：Ｐｒｏｔｏｃｏｌ  Ｄａｔａ  Ｕｎｉｔ、略してＰＤＵ）セッション更新メッセージ（ＰＤＵ  ｓｅｓｓｉｏｎ  ｕｐｄａｔｅ  ｍｅｓｓａｇｅ）を送る。
【００７８】
特に、第１のＣＰネットワーク要素は、ユーザプレーン機能ネットワーク要素にＰＤＵセッション更新メッセージを送って、セッションコンテキストの同期更新手順を実行するようにＵＰネットワーク要素に命令する。ＰＤＵセッション更新メッセージが、ＵＥ上のセッション情報が削除されたことを示す場合、ＰＤＵセッション更新メッセージは、対応するセッション情報を削除するようにＵＰネットワーク要素に命令する。ＰＤＵセッション更新メッセージが、ＵＥがセッション同期処理を実行したことを示す場合、ＰＤＵセッション更新メッセージは、対応するセッション同期処理を実行するようにＵＰネットワーク要素に命令する。セッション更新手順を完了した後に、ＵＰネットワーク要素は、任意選択でステップ３１１を実施する。
【００７９】
ステップＳ３１１：ＵＰネットワーク要素が、第１のＣＰネットワーク要素にＰＤＵセッション更新応答メッセージ（ＰＤＵ  ｓｅｓｓｉｏｎ  ｕｐｄａｔｅ  ｒｅｓｐｏｎｓｅ  ｍｅｓｓａｇｅ）を送る。
【００８０】
本発明のこの実施形態の特定の実装では、図４Ａ及び図４Ｂに示されているセッション管理方法は、以下のステップＳ３１２をさらに含み得る：ＵＥが、第１のＣＰネットワーク要素にセッション管理応答メッセージを送る。
【００８１】
特に、ＡＮ要素によって送られたＲＲＣ再構成メッセージを受信した後に、ＵＥは、ＲＲＣ再構成メッセージ中のセッション管理要求に基づいてセッション管理応答メッセージを生成し、第１のＣＰネットワーク要素にセッション管理応答メッセージを送る。この場合、ステップＳ３０８におけるＲＲＣ再構成応答メッセージ及びステップＳ３０９におけるコンテキストセットアップ応答メッセージは、セッション管理応答メッセージを含まない。
【００８２】
第１のＣＰネットワーク要素が、新しいユーザプレーンネットワーク要素を選択する場合、Ｓ３１０及びＳ３１１におけるＰＤＵセッション更新メッセージ及びＰＤＵセッション更新応答メッセージは、ＰＤＵセッションセットアップ要求メッセージ及びＰＤＵセッションセットアップ応答メッセージに変更される。
【００８３】
加えて、本発明のこの実施形態の特定の実装では、図４Ａ及び図４Ｂに示されているセッション管理方法は、以下のステップＳ３１３をさらに含み得る：第１のＣＰネットワーク要素が、ＰＦネットワーク要素に保留ＰＤＵセッション同期通知メッセージ（Ｐｅｎｄｉｎｇ  ＰＤＵ  ｓｅｓｓｉｏｎ  ｓｙｎｃｈｒｏｎｉｚｅｄ  ｎｏｔｉｆｉｃａｔｉｏｎ  ｍｅｓｓａｇｅ）を送る。保留ＰＤＵセッション同期通知メッセージを受信した後に、ＰＦネットワーク要素は、セッションを同期状態に設定する。
【００８４】
本発明のこの実施形態における第１のセッションメッセージと第２のセッションメッセージは同じメッセージであり得ることに留意されたい。加えて、第２のセッションメッセージは、代替として、第１のセッションメッセージに基づいて生成されるメッセージであり得る。特定の生成方法については、実施形態１を参照されたい。加えて、この実施形態において、この実施形態で説明されない第１のセッションメッセージ及び第２のセッションメッセージに関する部分については、実施形態１を参照されたい。
【００８５】
本発明のこの実施形態の解決策では、ＵＥに接続されたＣＰネットワーク要素が変化したとき、ＵＥに新たに接続されたＣＰネットワーク要素は、保留セッションの更新手順を実行するために、ソースＣＰネットワーク要素から、更新されるべきセッションコンテキストを取得することができる。さらに、ＵＥ上のセッション情報が削除された場合、ＵＥは、ＵＰネットワーク要素に対してセッション更新手順を開始するようにＣＰネットワーク要素に命令する。
【００８６】
実施形態３
図５は、本発明の実施形態３によるセッション管理方法のフローチャートである。図５に示されている方法は、図１に示されているシナリオに基づいて実施される。本発明のこの実施形態における解決策では、制御プレーン接続が変化した後にＵＥに接続される制御プレーンネットワーク要素は第１のＣＰネットワーク要素と呼ばれ、制御プレーン接続が変化する前にＵＥに接続されるソースＣＰネットワーク要素は第２のＣＰネットワーク要素と呼ばれる。図５に示されている方法の処理ステップは以下の通りである。
【００８７】
ステップＳ４０１：ＵＥが第１のＣＰネットワーク要素にロケーション更新要求メッセージを送る。
【００８８】
例えば、ＵＥがアイドル状態にあり、ロケーション更新を開始する必要があるとき、ＵＥは第１のＣＰネットワーク要素にロケーション更新要求メッセージを送る。
【００８９】
ロケーション更新要求メッセージは、トラッキングエリア更新（英語：Ｔｒａｃｋｉｎｇ  Ａｒｅａ  Ｕｐｄａｔｅ、略してＴＡＵ）要求メッセージ（ＴＡＵ  ｒｅｑｕｅｓｔ  ｍｅｓｓａｇｅ）であり得る。ロケーション更新要求メッセージがＴＡＵ要求メッセージであるとき、ＴＡＵ要求メッセージは、ＣＰ接続が変化する前にＵＥに接続される第２のＣＰネットワーク要素のアドレス、及び第２のＣＰネットワーク要素によってＵＥに割り振られるユーザ機器識別情報、例えば、グローバル一意一時ＵＥ識別情報（英語：Ｇｌｏｂａｌｌｙ  Ｕｎｉｑｕｅ  Ｔｅｍｐｏｒａｒｙ  ＵＥ  Ｉｄｅｎｔｉｔｙ、略してＧＵＴＩ）を導出するために使用される情報を搬送し得る。さらに、ＴＡＵ要求メッセージは、ＵＥとネットワークとの間のセッションセットアップの通信リンクのベアラステータス情報をさらに搬送し得る。
【００９０】
ステップＳ４０２：第１のＣＰネットワーク要素が、第２のＣＰネットワーク要素にコンテキスト要求メッセージ（Ｃｏｎｔｅｘｔ  ｒｅｑｕｅｓｔ  ｍｅｓｓａｇｅ）を送る。
【００９１】
このステップでは、第１のＣＰネットワーク要素は、ＴＡＵ要求メッセージ中で搬送される情報に基づいて第２のＣＰネットワーク要素のアドレスを導出する。第１のＣＰネットワーク要素は、第２のＣＰネットワーク要素にコンテキスト要求メッセージを送る。
【００９２】
ステップＳ４０３：第２のＣＰネットワーク要素が、第１のＣＰネットワーク要素にＵＥコンテキスト応答メッセージ（Ｃｏｎｔｅｘｔ  ｒｅｓｐｏｎｓｅ  ｍｅｓｓａｇｅ）を送る。
【００９３】
ＵＥコンテキスト応答メッセージは第１のセッションメッセージを搬送する。第１のセッションメッセージの特定のフォーマット及びコンテンツについては、実施形態１を参照されたい。詳細について再び説明されない。
【００９４】
ステップＳ４０４：第１のＣＰネットワーク要素が、第２のＣＰネットワーク要素にコンテキスト肯定応答メッセージ（Ｃｏｎｔｅｘｔ  Ａｃｋｎｏｗｌｅｄｇｅ  ｍｅｓｓａｇｅ）を送る。
【００９５】
任意選択で、ＵＥコンテキスト応答メッセージを受信した後に、第１のＣＰネットワーク要素は、第１のセッションメッセージがＵＥに送られる必要があるかどうかをさらに判定する。判定方法については、実施形態１を参照されたい。第１のセッションメッセージがＵＥに送られる必要があると第１のＣＰネットワーク要素が判定したとき、第１のＣＰネットワーク要素は、この実施形態におけるすべての後続のステップを実施する。第１のセッションメッセージがＵＥに送られる必要がないと第１のＣＰネットワーク要素が判定した場合、第１のＣＰネットワーク要素はステップＳ４０５及びＳ４０７を実施する。
【００９６】
ステップＳ４０５：第１のＣＰネットワーク要素が、ＵＥにロケーション更新完了メッセージ、例えば、ＴＡＵ受付メッセージ（ＴＡＵ  Ａｃｃｅｐｔ  ｍｅｓｓａｇｅ）を送る。
【００９７】
ＴＡＵ受付メッセージは第２のセッションメッセージを搬送する。任意選択で、第２のセッションメッセージはセッション管理メッセージである。例えば、第２のセッションメッセージはセッション管理メッセージである。特に、セッション管理メッセージは、ＵＥとネットワークとの間のセッションセットアップにおける複数の通信リンクに対応するコンテキスト情報を含む。特に、セッション情報は、通信リンクの識別子、通信リンクによって使用されるＱｏＳ情報及びサービスフロー情報などを含み得る。セッション情報は、保留セッションに基づいて判定された、更新された通信リンク情報を含み得る。
【００９８】
さらに、ＴＡＵ受付メッセージは、１つ又は複数の保留セッション管理要求を含むことがあり、保留セッション管理要求は、ＵＥとネットワークとの間のセッションセットアップにおける通信リンクに対応する変更されたコンテキスト情報を含む。特定の情報は、ＱｏＳ情報、サービスフロー情報などを含み得る。
【００９９】
特に、保留セッション情報がＵＥに対して更新される必要があるとき、第１のＣＰネットワーク要素は、ＵＥにＴＡＵ受付メッセージを送る。
【０１００】
ステップＳ４０６：ＵＥが、第１のＣＰネットワーク要素にロケーション更新完了メッセージ、例えば、ＴＡＵ完了メッセージ（ＴＡＵ  Ｃｏｍｐｌｅｔｅ  ｍｅｓｓａｇｅ）を送る。
【０１０１】
ＴＡＵ完了メッセージはセッション管理応答メッセージを含む。セッション管理応答メッセージは、ＵＥのセッション同期の結果値、例えば、同期が成功する又は同期が失敗するを含む。同期が失敗したとき、その失敗の原因値、例えば、通信リンクが削除されたが搬送される。
【０１０２】
特に、ＴＡＵ受付メッセージを受信した後に、ＵＥは、ＴＡＵ受付メッセージ中のセッション管理メッセージに基づいてセッション同期処理を実行し、セッション同期処理が完了した後に、セッション管理応答メッセージを含むＴＡＵ完了メッセージを生成する。セッション管理応答メッセージは、セッション管理メッセージに対するＵＥの応答である。
ステップＳ４０７：第１のＣＰネットワーク要素が、ＵＰネットワーク要素にＰＤＵセッション更新メッセージを送る。
【０１０３】
特に、第１のＣＰネットワーク要素は、ユーザプレーン機能ネットワーク要素にＰＤＵセッション更新メッセージを送って、セッションコンテキストの同期更新手順を実行するようにＵＰネットワーク要素に命令する。ＰＤＵセッション更新メッセージが、ＵＥ上のセッション情報が削除されたことを示す場合、ＰＤＵセッション更新メッセージは、対応するセッション情報を削除するようにＵＰネットワーク要素に命令する。ＰＤＵセッション更新メッセージが、ＵＥがセッション同期処理を実行したことを示す場合、ＰＤＵセッション更新メッセージは、対応するセッション同期処理を実行するようにＵＰネットワーク要素に命令する。セッション更新手順を完了した後に、ＵＰネットワーク要素は、任意選択でステップＳ４０８を実施する。
【０１０４】
ステップＳ４０８：ＵＰネットワーク要素が、第１のＣＰネットワーク要素にＰＤＵセッション更新応答メッセージ（ＰＤＵ  ｓｅｓｓｉｏｎ  ｕｐｄａｔｅ  ｒｅｓｐｏｎｓｅ  ｍｅｓｓａｇｅ）を送る。
【０１０５】
第１の機能ネットワーク要素が、新しいＵＰネットワーク要素を選択する場合、Ｓ４０７及びＳ４０８におけるＰＤＵセッション更新メッセージ及びＰＤＵセッション更新応答メッセージは、ＰＤＵセッションセットアップ要求メッセージ及びＰＤＵセッションセットアップ応答メッセージに変更される。
【０１０６】
本発明のこの実施形態の特定の実装では、図５に示されているセッション管理方法は、以下のステップＳ４０９をさらに含み得る：第１のＣＰネットワーク要素が、ＰＦネットワーク要素に保留ＰＤＵセッション同期通知メッセージ（Ｐｅｎｄｉｎｇ  ＰＤＵ  ｓｅｓｓｉｏｎ  ｓｙｎｃｈｒｏｎｉｚｅｄ  ｎｏｔｉｆｉｃａｔｉｏｎ  ｍｅｓｓａｇｅ）を送る。保留ＰＤＵセッション同期通知メッセージを受信した後に、ＰＦネットワーク要素は、セッションを同期状態に設定する。
【０１０７】
本発明のこの実施形態における第１のセッションメッセージと第２のセッションメッセージは同じメッセージであり得ることに留意されたい。加えて、第２のセッションメッセージは、代替として、第１のセッションメッセージに基づいて生成されるメッセージであり得る。特定の生成方法については、実施形態１を参照されたい。加えて、この実施形態において、この実施形態で説明されない第１のセッションメッセージ及び第２のセッションメッセージに関する部分については、実施形態１を参照されたい。
【０１０８】
本発明のこの実施形態の解決策では、ＵＥに接続されたＣＰネットワーク要素が変化したとき、ＵＥに新たに接続されたＣＰネットワーク要素は、保留セッションの更新手順を実行するために、ソースＣＰネットワーク要素から、更新されるべきセッションコンテキストを取得することができる。さらに、ＵＥ上のセッション情報が削除された場合、ＵＥは、ＵＰネットワーク要素に対してセッション更新手順を開始するようにＣＰネットワーク要素に命令する。
【０１０９】
実施形態４
図６Ａ及び図６Ｂは、本発明の実施形態４によるセッション管理方法のフローチャートである。図６Ａ及び図６Ｂに示されている方法は、図２に示されているシナリオに基づいて実施される。本発明のこの実施形態における解決策では、制御プレーン接続が変化した後にＵＥに接続されるＳＭネットワーク要素はターゲットＳＭネットワーク要素と呼ばれ、接続が変化する前にＵＥに接続されるＳＭネットワーク要素はソースＳＭネットワーク要素と呼ばれる。図６Ａ及び図６Ｂに示されている方法の処理ステップは以下の通りである。
【０１１０】
ステップＳ５０１：ＵＥが、ＭＭネットワーク要素にロケーション更新要求メッセージを送る。
【０１１１】
例えば、ＵＥがアイドル状態にあり、ロケーション更新を開始する必要があるとき、ＵＥはＭＭネットワーク要素にロケーション更新要求メッセージを送る。ロケーション更新要求メッセージはＴＡＵ要求メッセージ（ＴＡＵ  ｒｅｑｕｅｓｔ  ｍｅｓｓａｇｅ）であり得る。ＴＡＵ要求メッセージは、ターゲットＳＭネットワーク要素に関する情報を搬送する。
【０１１２】
ステップＳ５０２：ＭＭネットワーク要素が、ターゲットＳＭネットワーク要素にＰＤＵセッション再配置要求メッセージ（ＰＤＵ  ｓｅｓｓｉｏｎ  ｒｅｌｏｃａｔｉｏｎ  ｒｅｑｕｅｓｔ  ｍｅｓｓａｇｅ）を送る。
【０１１３】
ＵＥからＴＡＵ要求メッセージを受信した後に、ＭＭネットワーク要素は、ＴＡＵ要求メッセージ中のターゲットＳＭネットワーク要素に関する情報に基づいてターゲットセッション管理ネットワーク要素としてターゲットＳＭネットワーク要素を判定し、ターゲットＳＭネットワーク要素にＰＤＵセッション再配置要求メッセージを送る。ＰＤＵセッション再配置要求メッセージは、ソースＳＭネットワーク要素のアドレス、及びソースＳＭネットワーク要素によってＵＥに割り振られる一時ユーザ機器識別情報、例えば、ＧＵＴＩ（Ｇｌｏｂａｌｌｙ  Ｕｎｉｑｕｅ  Ｔｅｍｐｏｒａｒｙ  ＵＥ  Ｉｄｅｎｔｉｔｙ、グローバル一意一時ＵＥ識別情報）を導出するために使用される情報を含む。ここでのソースＳＭネットワーク要素は、ＵＥのセッションコンテキストを以前に管理するセッション管理ネットワーク要素である。さらに、ＴＡＵ要求メッセージは、ＵＥとネットワークとの間のセッションセットアップの通信リンクのベアラステータス情報をさらに搬送し得る。
【０１１４】
ステップＳ５０３：ターゲットＳＭネットワーク要素が、ソースＳＭネットワーク要素にＳＭコンテキスト要求メッセージ（ＳＭ  Ｃｏｎｔｅｘｔ  ｒｅｑｕｅｓｔ  ｍｅｓｓａｇｅ）を送る。
【０１１５】
このステップでは、ターゲットＳＭネットワーク要素がＰＤＵセッション再配置要求メッセージを受信した後に、ターゲットＳＭネットワーク要素は、ＰＤＵセッション再配置要求メッセージに基づいてソースＳＭネットワーク要素のアドレスを判定する。次いで、ターゲットＳＭネットワーク要素は、ソースＳＭネットワーク要素にＳＭコンテキスト要求メッセージを送る。
【０１１６】
ステップＳ５０４：ソースＳＭネットワーク要素が、ターゲットＳＭネットワーク要素にＳＭコンテキスト応答メッセージ（ＳＭ  Ｃｏｎｔｅｘｔ  ｒｅｓｐｏｎｓｅ  ｍｅｓｓａｇｅ）を送る。
【０１１７】
ＳＭコンテキスト応答メッセージは第１のセッションメッセージを搬送する。第１のセッションメッセージの特定のフォーマット及びコンテンツについては、実施形態１を参照されたい。詳細について再び説明されない。
【０１１８】
ステップＳ５０５：ターゲットＳＭネットワーク要素が、ソースＳＭネットワーク要素にＳＭコンテキスト肯定応答メッセージ（ＳＭ  Ｃｏｎｔｅｘｔ  Ａｃｋｎｏｗｌｅｄｇｅ  ｍｅｓｓａｇｅ）を送る。
【０１１９】
特に、ＳＭコンテキスト応答メッセージを受信した後に、ターゲットＳＭネットワーク要素は、ソースＳＭネットワーク要素にＳＭコンテキスト肯定応答メッセージを送って、ターゲットＳＭネットワーク要素がＳＭコンテキスト応答メッセージを受信したことをソースＳＭネットワーク要素に通知し、さらに、ソースＳＭネットワーク要素は、ＵＥのコンテキスト情報を削除するか、又はＵＥのコンテキスト情報が無効であるか若しくは利用不可能であることを識別し得る。
【０１２０】
任意選択で、ＳＭコンテキスト応答メッセージを受信した後に、ターゲットＳＭネットワーク要素は、ＳＭコンテキスト応答メッセージ中の第１のセッションメッセージがＵＥに送られる必要があるかどうかをさらに判定する。判定方法については、実施形態１を参照されたい。第１のセッションメッセージがＵＥに送られる必要があるとターゲットＳＭネットワーク要素が判定したとき、ターゲットＳＭネットワーク要素は、この実施形態におけるすべての後続のステップを実施する。第１のセッションメッセージがＵＥに送られる必要がないとターゲットＳＭネットワーク要素が判定した場合、ターゲットＳＭネットワーク要素は、ステップＳ５０６、ステップＳ５１２、ステップＳ５１３、又はステップＳ５１５などの可能なステップを実施する。
【０１２１】
ステップＳ５０６：ターゲットＳＭネットワーク要素が、ＭＭネットワーク要素にＰＤＵセッション再配置応答メッセージ（ＰＤＵ  ｓｅｓｓｉｏｎ  ｒｅｌｏｃａｔｉｏｎ  ｒｅｓｐｏｎｓｅ  ｍｅｓｓａｇｅ）を送る。
【０１２２】
本発明のこの実施形態の特定の実装処理では、ステップ５０６は、ステップ５０４の後にのみ実施される必要があることに留意されたい。
【０１２３】
ステップＳ５０７：ＭＭネットワーク要素が、ＵＥにロケーション更新応答メッセージ、例えば、ＴＡＵ応答メッセージ（ＴＡＵ  ｒｅｓｐｏｎｓｅ  ｍｅｓｓａｇｅ）を送る。
【０１２４】
本発明のこの実施形態の特定の実装処理では、ステップＳ５０７は、ステップＳ５０１の後にのみ実施される必要があることに留意されたい。
【０１２５】
ステップＳ５０８：ターゲットＳＭネットワーク要素が、ＡＮ要素にコンテキストセットアップ要求メッセージ（Ｃｏｎｔｅｘｔ  Ｓｅｔｕｐ  ｒｅｑｕｅｓｔ  ｍｅｓｓａｇｅ）を送る。
【０１２６】
コンテキストセットアップ要求メッセージは第２のセッションメッセージを搬送する。任意選択で、第２のセッションメッセージはセッション管理メッセージである。例えば、第２のセッションメッセージはセッション管理メッセージである。特に、第２のセッションメッセージは、ＵＥとネットワークとの間のセッションセットアップにおける複数の通信リンクに対応するコンテキスト情報を含む。特に、セッション情報は、通信リンクの識別子、通信リンクによって使用されるＱｏＳ情報及びサービスフロー情報などを含み得る。セッション情報は、保留セッションに基づいて判定された、更新された通信リンク情報を含み得る。
【０１２７】
さらに、コンテキストセットアップ要求メッセージは、１つ又は複数の保留セッション管理要求を含み、保留セッション管理要求は、ＵＥとネットワークとの間のセッションセットアップにおける通信リンクに対応する変更されたコンテキスト情報を含む。特定の情報は、ＱｏＳ情報、サービスフロー情報などを含み得る。
【０１２８】
特に、保留セッション情報がＵＥに対して更新される必要があるとき、ターゲットＳＭネットワーク要素は、ＡＮ要素にコンテキストセットアップ要求メッセージを送る。
ステップＳ５０９：ＡＮ要素が、ＵＥにＲＲＣ再構成メッセージ（ＲＲＣ  ｒｅｃｏｎｆｉｇ  ｍｅｓｓａｇｅ）を送る。
【０１２９】
ＲＲＣ再構成メッセージは、１つ又は複数の保留セッション管理メッセージを含む。
【０１３０】
特に、コンテキストセットアップ要求メッセージを受信した後に、ＡＮ要素は、１つ又は複数のセッション管理メッセージを含むＲＲＣ再構成メッセージをＵＥに送る。
【０１３１】
ステップＳ５１０：ＵＥが、ＡＮ要素にＲＲＣ再構成応答メッセージ（ＲＲＣ  ｒｅｃｏｎｆｉｇ  ｒｅｓｐｏｎｓｅ  ｍｅｓｓａｇｅ）を送る。
【０１３２】
ＲＲＣ再構成応答メッセージは、１つ又は複数の保留セッション管理応答メッセージを含む。保留セッション管理応答メッセージは、ＵＥの保留セッション同期を実施した結果値、例えば、同期が成功する又は同期が失敗するを含む。さらに、同期が失敗したとき、その失敗の原因値、例えば、通信リンクが削除されるが含まれる。
【０１３３】
特に、ＲＲＣ再構成メッセージを受信した後に、ＵＥは、ＲＲＣ再構成メッセージ中のセッション管理要求に基づいてセッション同期処理を実行し、ＲＲＣ再構成メッセージに基づいて、セッション管理応答を含むＲＲＣ再構成応答メッセージを生成する。セッション管理応答メッセージは、セッション管理要求に対するＵＥの応答メッセージである。
【０１３４】
ステップＳ５１１：ＡＮ要素が、ターゲットＳＭネットワーク要素にコンテキストセットアップ応答メッセージ（Ｃｏｎｔｅｘｔ  Ｓｅｔｕｐ  ｒｅｓｐｏｎｓｅ  ｍｅｓｓａｇｅ）を送る。
【０１３５】
コンテキストセットアップ応答メッセージはセッション管理応答メッセージを含む。
特に、ＲＲＣ再構成応答メッセージを受信した後に、ＡＮ要素は、ターゲットＳＭネットワーク要素にコンテキストセットアップ応答メッセージを送る。
【０１３６】
ＲＲＣ再構成応答メッセージはセッション管理応答メッセージを含む。セッション管理応答メッセージは、ＵＥのセッション同期の結果値、例えば、同期が成功する又は同期が失敗するを含む。同期が失敗したとき、その失敗の原因値、例えば、通信リンクが削除されたが搬送される。
【０１３７】
ステップＳ５１２：ターゲットＳＭネットワーク要素が、ＵＰネットワーク要素にＰＤＵセッション更新メッセージを送る。
【０１３８】
特に、ターゲットＳＭネットワーク要素は、ＵＰネットワーク要素にＰＤＵセッション更新メッセージを送って、セッションコンテキストの同期更新手順を実行するようにＵＰネットワーク要素に命令する。ＰＤＵセッション更新メッセージが、ＵＥ上のセッション情報が削除されたことを示す場合、ＰＤＵセッション更新メッセージは、対応するセッション情報を削除するようにＵＰネットワーク要素に命令する。ＰＤＵセッション更新メッセージが、ＵＥがセッション同期処理を実行したことを示す場合、ＰＤＵセッション更新メッセージは、対応するセッション同期処理を実行するようにＵＰネットワーク要素に命令する。セッション更新手順を完了した後に、ＵＰネットワーク要素は、任意選択でステップＳ５１３を実施する。
【０１３９】
ステップＳ５１３：ＵＰネットワーク要素が、ターゲットＳＭネットワーク要素にＰＤＵセッション更新応答メッセージ（ＰＤＵ  ｓｅｓｓｉｏｎ  ｕｐｄａｔｅ  ｒｅｓｐｏｎｓｅ  ｍｅｓｓａｇｅ）を送る。
【０１４０】
本発明のこの実施形態の特定の実装では、図６Ａ及び図６Ｂに示されているセッション管理方法は、以下のステップ５１４をさらに含み得る：ＵＥが、ターゲットＳＭネットワーク要素にセッション管理応答メッセージを送る。
【０１４１】
特に、ＡＮ要素によって送られたＲＲＣ再構成メッセージを受信した後に、ＵＥは、ＲＲＣ再構成メッセージ中のセッション管理要求に基づいてセッション管理応答メッセージを生成し、ターゲットＳＭネットワーク要素にセッション管理応答メッセージを送る。この場合、ＲＲＣ再構成応答メッセージ及びコンテキストセットアップ応答メッセージは、セッション管理応答メッセージを含まない。
【０１４２】
加えて、本発明のこの実施形態の特定の実装では、図６Ａ及び図６Ｂに示されているセッション管理方法は、以下のステップＳ５１５をさらに含み得る：ターゲットＳＭネットワーク要素が、ＰＦネットワーク要素に保留ＰＤＵセッション同期通知メッセージ（Ｐｅｎｄｉｎｇ  ＰＤＵ  ｓｅｓｓｉｏｎ  ｓｙｎｃｈｒｏｎｉｚｅｄ  ｎｏｔｉｆｉｃａｔｉｏｎ  ｍｅｓｓａｇｅ）を送る。保留ＰＤＵセッション同期通知メッセージを受信した後に、ＰＦネットワーク要素は、セッションを同期状態に設定する。
【０１４３】
本発明のこの実施形態における第１のセッションメッセージと第２のセッションメッセージは同じメッセージであり得ることに留意されたい。加えて、第２のセッションメッセージは、代替として、第１のセッションメッセージに基づいて生成されるメッセージであり得る。特定の生成方法については、実施形態１を参照されたい。加えて、この実施形態において、この実施形態で説明されない第１のセッションメッセージ及び第２のセッションメッセージに関する部分については、実施形態１を参照されたい。
【０１４４】
本発明のこの実施形態において提供されるように、ＳＭとＭＭが分離されるシナリオでは、ＵＥに接続されたＳＭネットワーク要素が変化したとき、ＵＥに新たに接続されたＳＭネットワーク要素は、保留セッションの更新手順を実行するために、ソースＳＭネットワーク要素から、更新されるべきセッションコンテキストを取得することができる。さらに、ＵＥ上のセッション情報が削除された場合、ＵＥは、ＵＰネットワーク要素に対してセッション更新手順を開始するようにＳＭネットワーク要素に命令する。
実施形態５
【０１４５】
図７Ａ及び図７Ｂは、本発明の実施形態５によるセッション管理方法のフローチャートである。図７Ａ及び図７Ｂに示されている方法は、図２に示されているシナリオに基づいて実施される。本発明のこの実施形態における解決策では、制御プレーン接続が変化した後にＵＥに接続されるＳＭネットワーク要素はターゲットＳＭネットワーク要素と呼ばれ、接続が変化する前にＵＥに接続されるＳＭネットワーク要素はソースＳＭネットワーク要素と呼ばれる。図７Ａ及び図７Ｂに示されている方法の処理ステップは以下の通りである。
【０１４６】
ステップＳ６０１：ＵＥが、ＭＭネットワーク要素にロケーション更新要求メッセージを送る。
【０１４７】
例えば、ＵＥがアイドル状態にあり、ロケーション更新を開始する必要があるとき、ＵＥはＭＭネットワーク要素にロケーション更新要求メッセージを送る。ロケーション更新要求メッセージはＴＡＵ要求メッセージ（ＴＡＵ  ｒｅｑｕｅｓｔ  ｍｅｓｓａｇｅ）であり得る。ＴＡＵ要求メッセージは、ターゲットＳＭネットワーク要素に関する情報を搬送する。
【０１４８】
ステップＳ６０２：ＭＭネットワーク要素が、ターゲットＳＭネットワーク要素にＰＤＵセッション再配置要求メッセージ（ＰＤＵ  ｓｅｓｓｉｏｎ  ｒｅｌｏｃａｔｉｏｎ  ｒｅｑｕｅｓｔ  ｍｅｓｓａｇｅ）を送る。
【０１４９】
ＵＥからＴＡＵ要求メッセージを受信した後に、ＭＭネットワーク要素は、ＴＡＵ要求メッセージ中のターゲットＳＭネットワーク要素に関する情報に基づいてターゲットセッション管理ネットワーク要素としてターゲットＳＭネットワーク要素を判定し、ターゲットＳＭネットワーク要素にＰＤＵセッション再配置要求メッセージを送る。ＰＤＵセッション再配置要求メッセージは、ソースＳＭネットワーク要素のアドレス、及びソースＳＭネットワーク要素によってＵＥに割り振られる一時ユーザ機器識別情報、例えば、ＧＵＴＩ（Ｇｌｏｂａｌｌｙ  Ｕｎｉｑｕｅ  Ｔｅｍｐｏｒａｒｙ  ＵＥ  Ｉｄｅｎｔｉｔｙ、グローバル一意一時ＵＥ識別情報）を導出するために使用される情報を含む。ここでのソースＳＭネットワーク要素は、ＵＥのセッションコンテキストを以前に管理するセッション管理ネットワーク要素である。
【０１５０】
ステップＳ６０３：ターゲットＳＭネットワーク要素が、ソースＳＭネットワーク要素にＳＭコンテキスト要求メッセージ（ＳＭ  Ｃｏｎｔｅｘｔ  ｒｅｑｕｅｓｔ  ｍｅｓｓａｇｅ）を送る。
【０１５１】
このステップでは、ターゲットＳＭネットワーク要素がＰＤＵセッション再配置要求メッセージを受信した後に、ターゲットＳＭネットワーク要素は、ＰＤＵセッション再配置要求メッセージに基づいてソースＳＭネットワーク要素のアドレスを判定する。次いで、ターゲットＳＭネットワーク要素は、ソースＳＭネットワーク要素にＳＭコンテキスト要求メッセージを送る。
【０１５２】
ステップＳ６０４：ソースＳＭネットワーク要素が、ターゲットＳＭネットワーク要素にＳＭコンテキスト応答メッセージ（ＳＭ  Ｃｏｎｔｅｘｔ  ｒｅｓｐｏｎｓｅ  ｍｅｓｓａｇｅ）を送る。
【０１５３】
ＳＭコンテキスト応答メッセージは第１のセッションメッセージを搬送する。第１のセッションメッセージの特定のフォーマット及びコンテンツについては、実施形態１を参照されたい。詳細について再び説明されない。
【０１５４】
ステップＳ６０５：ターゲットＳＭネットワーク要素が、ソースＳＭネットワーク要素にＳＭコンテキスト肯定応答メッセージ（Ｃｏｎｔｅｘｔ  Ａｃｋｎｏｗｌｅｄｇｅ  ｍｅｓｓａｇｅ）を送る。
【０１５５】
特に、ＳＭコンテキスト応答メッセージを受信した後に、ターゲットＳＭネットワーク要素は、ソースＳＭネットワーク要素にＳＭコンテキスト肯定応答メッセージを送って、ターゲットＳＭネットワーク要素がＳＭコンテキスト応答メッセージを受信したことをソースＳＭネットワーク要素に通知し、さらに、ソースＳＭネットワーク要素は、ＵＥのコンテキスト情報を削除するか、又はＵＥのコンテキスト情報が無効であるか若しくは利用不可能であることを識別し得る。
【０１５６】
さらに、ＳＭコンテキスト応答メッセージを受信した後に、ターゲットＳＭネットワーク要素は、第１のセッションメッセージがＵＥに送られる必要があるかどうかをさらに判定し得る。判定方法については、実施形態１を参照されたい。第１のセッションメッセージがＵＥに送られる必要があるとターゲットＳＭネットワーク要素が判定したとき、ターゲットＳＭネットワーク要素は、この実施形態におけるすべての後続のステップを実施する。第１のセッションメッセージがＵＥに送られる必要がないとターゲットＳＭネットワーク要素が判定した場合、ターゲットＳＭネットワーク要素は、ステップＳ６０６、Ｓ６０９、及びＳ６１１における可能な後続のステップを実施する。
【０１５７】
ステップＳ６０６：ターゲットＳＭネットワーク要素が、ＭＭネットワーク要素にセッション再配置応答メッセージ（ＰＤＵ  ｓｅｓｓｉｏｎ  ｒｅｌｏｃａｔｉｏｎ  ｒｅｓｐｏｎｓｅ  ｍｅｓｓａｇｅ）を送る。
【０１５８】
ＰＤＵセッション再配置応答メッセージは第２のセッションメッセージを搬送する。任意選択で、第２のセッションメッセージはセッション管理メッセージである。例えば、第２のセッションメッセージはセッション管理メッセージである。特に、セッション管理メッセージは、１つ又は複数のセッション管理メッセージを含む。１つ又は複数のセッション管理メッセージは、ＵＥとネットワークとの間のセッションセットアップにおける１つ又は複数の通信リンクに対応する、変更されたコンテキスト情報を含む。特に、セッション管理要求メッセージは、ＱｏＳ情報及びサービスフロー情報など、更新されたセッション情報を含み得る。
【０１５９】
特に、保留セッション情報がＵＥに対して更新される必要があるとき、ターゲットＳＭネットワーク要素は、ＵＥにＰＤＵセッション再配置応答メッセージを送る。
本発明のこの実施形態の特定の実装処理では、ステップＳ６０６は、ステップＳ６０４の後にのみ実施される必要があることに留意されたい。
【０１６０】
ステップＳ６０７：ＭＭネットワーク要素が、ＵＥにロケーション更新応答メッセージ、例えば、ＴＡＵ応答メッセージ（ＴＡＵ  ｒｅｓｐｏｎｓｅ  ｍｅｓｓａｇｅ）を送る。
【０１６１】
ＴＡＵ応答メッセージは１つ又は複数のセッション管理メッセージを含む。
【０１６２】
特に、ＰＤＵセッション再配置応答メッセージを受信した後に、ＭＭネットワーク要素は、ＵＥにＴＡＵ応答メッセージを送る。
【０１６３】
ステップＳ６０８：ＵＥが、ターゲットＳＭネットワーク要素にロケーション更新完了メッセージ、例えば、ＴＡＵ完了メッセージを送る。
【０１６４】
ＴＡＵ完了メッセージは１つ又は複数のセッション管理応答メッセージを含む。１つ又は複数のセッション管理応答メッセージは、ＵＥのセッション同期の結果値、例えば、同期が成功する又は同期が失敗するを含む。同期が失敗したとき、その失敗の原因値、例えば、通信リンクが削除されたが搬送される。
【０１６５】
特に、ＴＡＵ応答メッセージを受信した後に、ＵＥは、ＴＡＵ応答メッセージ中のセッション管理要求に基づいてセッション同期処理を実行し、セッション同期処理が完了した後に、セッション管理応答メッセージを含むＴＡＵ完了メッセージを生成する。セッション管理応答メッセージは、セッション管理要求に対するＵＥの応答メッセージである。
【０１６６】
特に、ＵＥは、ターゲットＳＭネットワーク要素にロケーション更新完了メッセージを送り、ロケーション更新完了メッセージは、ＭＭネットワーク要素を使用することによってターゲットＳＭネットワーク要素にフォワーディングされ得る。
【０１６７】
ステップＳ６０９：ターゲットＳＭネットワーク要素が、ＵＰネットワーク要素にＰＤＵセッション更新メッセージを送る。
【０１６８】
特に、ターゲットＳＭネットワーク要素は、ＵＰネットワーク要素にＰＤＵセッション更新メッセージを送って、セッションコンテキストの同期更新手順を実行するようにＵＰネットワーク要素に命令する。ＰＤＵセッション更新メッセージが、ＵＥ上のセッション情報が削除されたことを示す場合、ＰＤＵセッション更新メッセージは、対応するセッション情報を削除するようにＵＰネットワーク要素に命令する。ＰＤＵセッション更新メッセージが、ＵＥがセッション同期処理を実行したことを示す場合、ＰＤＵセッション更新メッセージは、対応するセッション同期処理を実行するようにＵＰネットワーク要素に命令する。セッション更新手順を完了した後に、ＵＰネットワーク要素は、任意選択でステップＳ６１０を実施する。
【０１６９】
ステップＳ６１０：ＵＰネットワーク要素が、ターゲットＳＭネットワーク要素にＰＤＵセッション更新応答メッセージ（ＰＤＵ  ｓｅｓｓｉｏｎ  ｕｐｄａｔｅ  ｒｅｓｐｏｎｓｅ  ｍｅｓｓａｇｅ）を送る。
【０１７０】
本発明のこの実施形態の特定の実装では、図７Ａ及び図７Ｂに示されているセッション管理方法は、以下のステップＳ６１１をさらに含み得る：ターゲットＳＭネットワーク要素が、ＰＦネットワーク要素に保留ＰＤＵセッション同期通知メッセージ（Ｐｅｎｄｉｎｇ  ＰＤＵ  ｓｅｓｓｉｏｎ  ｓｙｎｃｈｒｏｎｉｚｅｄ  ｎｏｔｉｆｉｃａｔｉｏｎ  ｍｅｓｓａｇｅ）を送る。保留ＰＤＵセッション同期通知メッセージを受信した後に、ＰＦネットワーク要素は、セッションを同期状態に設定する。
【０１７１】
本発明のこの実施形態における第１のセッションメッセージと第２のセッションメッセージは同じメッセージであり得ることに留意されたい。加えて、第２のセッションメッセージは、代替として、第１のセッションメッセージに基づいて生成されるメッセージであり得る。特定の生成方法については、実施形態１を参照されたい。加えて、この実施形態において、この実施形態で説明されない第１のセッションメッセージ及び第２のセッションメッセージに関する部分については、実施形態１を参照されたい。
【０１７２】
本発明のこの実施形態において提供されるように、ＳＭとＭＭが分離されるシナリオでは、ＵＥに接続されたＳＭネットワーク要素が変化したとき、ＵＥに新たに接続されたＳＭネットワーク要素は、保留セッションの更新手順を実行するために、ソースＳＭネットワーク要素から、更新されるべきセッションコンテキストを取得することができる。さらに、ＵＥ上のセッション情報が削除された場合、ＵＥは、ＵＰネットワーク要素に対してセッション更新手順を開始するようにＳＭネットワーク要素に命令する。
【０１７３】
実施形態６
図８Ａ及び図８Ｂは、本発明の実施形態６によるセッション管理方法のフローチャートである。図８Ａ及び図８Ｂに示されている方法は、図２に示されているシナリオに基づいて実施される。本発明のこの実施形態における解決策では、制御プレーン接続が変化した後にＵＥに接続されるＳＭネットワーク要素はターゲットＳＭネットワーク要素と呼ばれ、接続が変化する前にＵＥに接続されるＳＭネットワーク要素はソースＳＭネットワーク要素と呼ばれる。図８Ａ及び図８Ｂに示されている方法の処理ステップは以下の通りである。
【０１７４】
ステップＳ７０１：ＵＥが、ＭＭネットワーク要素にロケーション更新要求メッセージを送る。
【０１７５】
例えば、ＵＥがアイドル状態にあり、ロケーション更新を開始する必要があるとき、ＵＥはＭＭネットワーク要素にロケーション更新要求メッセージを送る。ロケーション更新要求メッセージはＴＡＵ要求メッセージ（ＴＡＵ  ｒｅｑｕｅｓｔ  ｍｅｓｓａｇｅ）であり得る。ＴＡＵ要求メッセージは、ターゲットＳＭネットワーク要素に関する情報を搬送する。
【０１７６】
ステップＳ７０２：ＭＭネットワーク要素が、ＵＥにロケーション更新応答メッセージ、例えば、ＴＡＵ応答メッセージ（ＴＡＵ  ｒｅｓｐｏｎｓｅ  ｍｅｓｓａｇｅ）を送る。
【０１７７】
特に、ＵＥからＴＡＵ要求メッセージを受信した後に、ＭＭネットワーク要素は、ターゲットセッション管理ネットワーク要素としてターゲットＳＭネットワーク要素を判定し、ＴＡＵ応答メッセージにターゲットＳＭネットワーク要素に関する情報を追加し、次いで、ＴＡＵ応答メッセージをＵＥに送る。
【０１７８】
ステップＳ７０３：ＵＥが、ターゲットＳＭネットワーク要素にＰＤＵセッション更新要求メッセージ（ＰＤＵ  ｓｅｓｓｉｏｎ  ｕｐｄａｔｅ  ｒｅｑｕｅｓｔ  ｍｅｓｓａｇｅ）を送る。
【０１７９】
ＰＤＵセッション更新要求メッセージは、ソースＳＭネットワーク要素のアドレスを判定するために使用される情報を搬送する。
【０１８０】
特に、ＴＡＵ応答メッセージを受信した後に、ＵＥは、ターゲットＳＭネットワーク要素にＰＤＵセッション更新要求メッセージを送る。ＰＤＵセッション更新要求メッセージは、ソースＳＭネットワーク要素のアドレスを導出するために使用される情報を含む。この情報は、ソースＳＭネットワーク要素によってＵＥに割り振られる一時ユーザ機器識別情報、例えば、ＧＵＴＩ（Ｇｌｏｂａｌｌｙ  Ｕｎｉｑｕｅ  Ｔｅｍｐｏｒａｒｙ  ＵＥ  Ｉｄｅｎｔｉｔｙ、グローバル一意一時ＵＥ識別情報）であり得る。ここでのソースＳＭネットワーク要素は、ＵＥのセッションコンテキストを以前に管理するセッション管理ネットワーク要素である。さらに、ＰＤＵセッション更新要求メッセージは、ＵＥとネットワークとの間のセッションセットアップの通信リンクのベアラステータス情報をさらに搬送し得る。
【０１８１】
ステップＳ７０４：ターゲットＳＭネットワーク要素が、ソースＳＭネットワーク要素にＳＭコンテキスト要求メッセージ（ＳＭ  Ｃｏｎｔｅｘｔ  ｒｅｑｕｅｓｔ  ｍｅｓｓａｇｅ）を送る。
【０１８２】
このステップでは、ターゲットＳＭネットワーク要素がＰＤＵセッション再配置要求メッセージを受信した後に、ターゲットＳＭネットワーク要素は、ＰＤＵセッション再配置要求メッセージに基づいてソースＳＭネットワーク要素のアドレスを判定する。次いで、ターゲットＳＭネットワーク要素は、ソースＳＭネットワーク要素にＳＭコンテキスト要求メッセージを送る。
【０１８３】
ステップＳ７０５：ソースＳＭネットワーク要素が、ターゲットＳＭネットワーク要素にＳＭコンテキスト応答メッセージ（ＳＭ  Ｃｏｎｔｅｘｔ  ｒｅｓｐｏｎｓｅ  ｍｅｓｓａｇｅ）を送る。
【０１８４】
ＳＭコンテキスト応答メッセージは第１のセッションメッセージを搬送する。第１のセッションメッセージの特定のフォーマット及びコンテンツについては、実施形態１を参照されたい。詳細について再び説明されない。
【０１８５】
ステップＳ７０６：ターゲットＳＭネットワーク要素が、ソースＳＭネットワーク要素にＳＭコンテキスト肯定応答メッセージ（Ｃｏｎｔｅｘｔ  Ａｃｋｎｏｗｌｅｄｇｅ  ｍｅｓｓａｇｅ）を送る。
【０１８６】
特に、ＳＭコンテキスト応答メッセージを受信した後に、ターゲットＳＭネットワーク要素は、ソースＳＭネットワーク要素にＳＭコンテキスト肯定応答メッセージを送って、ターゲットＳＭネットワーク要素がＳＭコンテキスト応答メッセージを受信したことをソースＳＭネットワーク要素に通知し、さらに、ソースＳＭネットワーク要素は、ＵＥのコンテキスト情報を削除するか、又はＵＥのコンテキスト情報が無効であるか若しくは利用不可能であることを識別し得る。
【０１８７】
さらに、ＳＭコンテキスト応答メッセージを受信した後に、ターゲットＳＭネットワーク要素は、第１のセッションメッセージがＵＥに送られる必要があるかどうかをさらに判定し得る。判定方法については、実施形態１を参照されたい。第１のセッションメッセージがＵＥに送られる必要があるとターゲットＳＭネットワーク要素が判定したとき、ターゲットＳＭネットワーク要素は、この実施形態におけるすべての後続のステップを実施する。第１のセッションメッセージがＵＥに送られる必要がないとターゲットＳＭネットワーク要素が判定した場合、ターゲットＳＭネットワーク要素はステップＳ７０７及びＳ７０８を実施する。
【０１８８】
ステップＳ７０７：ターゲットＳＭネットワーク要素が、ＵＰネットワーク要素にＰＤＵセッション更新メッセージを送る。
【０１８９】
特に、ターゲットＳＭネットワーク要素は、ＵＰネットワーク要素にＰＤＵセッション更新メッセージを送って、セッションコンテキストの同期更新手順を実行するようにＵＰネットワーク要素に命令する。ＰＤＵセッション更新メッセージが、ＵＥ上のセッション情報が削除されたことを示す場合、ＰＤＵセッション更新メッセージは、対応するセッション情報を削除するようにＵＰネットワーク要素に命令する。ＰＤＵセッション更新メッセージが、ＵＥがセッション同期処理を実行したことを示す場合、ＰＤＵセッション更新メッセージは、対応するセッション同期処理を実行するようにＵＰネットワーク要素に命令する。セッション更新手順を完了した後に、ＵＰネットワーク要素は、任意選択でステップ７０８を実施する。
【０１９０】
ステップＳ７０８：ＵＰネットワーク要素が、ターゲットＳＭネットワーク要素にＰＤＵセッション更新応答メッセージ（ＰＤＵ  ｓｅｓｓｉｏｎ  ｕｐｄａｔｅ  ｒｅｓｐｏｎｓｅ  ｍｅｓｓａｇｅ）を送る。
【０１９１】
ステップＳ７０９：ターゲットＳＭネットワーク要素が、ＵＥにＰＤＵセッション更新応答メッセージを送る。
【０１９２】
ＰＤＵセッション更新応答メッセージは第２のセッションメッセージを搬送する。任意選択で、第２のセッションメッセージはセッション管理メッセージである。例えば、第２のセッションメッセージはセッション管理メッセージである。特に、セッション管理メッセージは、１つ又は複数の保留セッション管理メッセージを含み得る。１つ又は複数のセッション管理メッセージは、ＵＥとネットワークとの間のセッションセットアップにおける複数の通信リンクに対応するコンテキスト情報を含む。特に、セッション管理メッセージは、ＱｏＳ情報及びサービスフロー情報など、更新されたセッション情報を含み得る。
【０１９３】
特に、保留セッション情報がＵＥに対して更新される必要があるとき、ターゲットＳＭネットワーク要素は、ＵＥにＰＤＵセッション更新応答メッセージを送る。
【０１９４】
ステップＳ７１０：ＵＥが、ターゲットＳＭネットワーク要素にＰＤＵセッション更新完了メッセージを送る。
【０１９５】
ＰＤＵセッション更新完了メッセージは、１つ又は複数のセッション管理応答メッセージを含む。セッション管理応答は、ＵＥの同期結果、例えば、各セッションの同期が成功する又は同期が失敗するを含む。同期が失敗したとき、その失敗の原因値、例えば、通信リンクが削除されたが搬送される。
【０１９６】
特に、ＰＤＵセッション更新応答メッセージを受信した後に、ＵＥは、ＰＤＵセッション更新応答メッセージ中のセッション管理要求に基づいてセッション同期処理を実行し、セッション同期処理が完了した後に、セッション管理応答を含むＰＤＵセッション更新完了メッセージを生成する。セッション管理応答は、セッション管理要求に対するＵＥの応答である。
【０１９７】
本発明のこの実施形態の特定の実装では、図８Ａ及び図８Ｂに示されているセッション管理方法は、以下のステップＳ７１１をさらに含み得る：ターゲットＳＭネットワーク要素が、ＰＦネットワーク要素に保留ＰＤＵセッション同期通知メッセージ（Ｐｅｎｄｉｎｇ  ＰＤＵ  ｓｅｓｓｉｏｎ  ｓｙｎｃｈｒｏｎｉｚｅｄ  ｎｏｔｉｆｉｃａｔｉｏｎ  ｍｅｓｓａｇｅ）を送る。保留ＰＤＵセッション同期通知メッセージを受信した後に、ＰＦネットワーク要素は、セッションを同期状態に設定する。
【０１９８】
本発明のこの実施形態における第１のセッションメッセージと第２のセッションメッセージは同じメッセージであり得ることに留意されたい。加えて、第２のセッションメッセージは、代替として、第１のセッションメッセージに基づいて生成されるメッセージであり得る。特定の生成方法については、実施形態１を参照されたい。加えて、この実施形態において、この実施形態で説明されない第１のセッションメッセージ及び第２のセッションメッセージに関する部分については、実施形態１を参照されたい。
【０１９９】
本発明のこの実施形態において提供されるように、ＳＭとＭＭが分離されるシナリオでは、ＵＥに接続されたＳＭネットワーク要素が変化したとき、ＵＥに新たに接続されたＳＭネットワーク要素は、保留セッションの更新手順を実行するために、ソースＳＭネットワーク要素から、更新されるべきセッションコンテキストを取得することができる。さらに、ＵＥ上のセッション情報が削除された場合、ＵＥは、ＵＰネットワーク要素に対してセッション更新手順を開始するようにＳＭネットワーク要素に命令する。
【０２００】
図９は、本発明の一実施形態によるセッション管理ネットワーク要素の概略構造図である。図９に示されているように、セッション管理ネットワーク要素は、上記の方法実施形態において制御プレーン接続が変化した後にＵＥに接続された制御プレーンネットワーク要素によって実施される、実施形態１から実施形態６並びに図３から図８Ａ及び図８Ｂの各々におけるセッション管理方法を実施するように構成され得る。例えば、セッション管理ネットワーク要素は、実施形態１から実施形態３における第１のＣＰネットワーク要素であり得る。セッション管理ネットワーク要素が第１のＣＰネットワーク要素であるとき、セッション管理ネットワーク要素は、上記の実施形態１から実施形態３及び図３から図５の各々における第１のＣＰネットワーク要素によって実施されるステップを実施し得る。別の例では、セッション管理ネットワーク要素は、実施形態４から実施形態６の各々におけるターゲットＳＭネットワーク要素であり得る。セッション管理ネットワーク要素がターゲットＳＭネットワーク要素であるとき、セッション管理ネットワーク要素は、実施形態４から実施形態６並びに図６Ａ及び図６Ｂから図８Ａ及び図８Ｂの各々におけるターゲットＳＭネットワーク要素によって実施されるステップを実施し得る。以下で、セッション管理ネットワーク要素の主要な機能について説明する。説明されない部分については、実施形態１から実施形態６並びに図３から図８Ａ及び図８Ｂを参照されたい。
【０２０１】
特に、セッション管理ネットワーク要素は、
第２の制御プレーンネットワーク要素からユーザ機器ＵＥコンテキスト応答メッセージを受信するように構成された受信ユニット８０１であって、ＵＥコンテキスト応答メッセージは第１のセッションメッセージを搬送し、第１のセッションメッセージは保留セッションメッセージである、受信ユニット８０１と、
ＵＥコンテキスト応答メッセージに従ってユーザ機器に第２のセッションメッセージを送るように構成された送信ユニット８０３とを含む。
【０２０２】
可能な設計では、第１のセッションメッセージは第２のセッションメッセージと同じである。
【０２０３】
可能な設計では、第２のセッションメッセージは、第１のセッションメッセージに基づいて生成される。
【０２０４】
可能な設計では、第２のセッションメッセージはセッション管理メッセージである。
【０２０５】
送信ユニット８０３がＵＥコンテキスト応答メッセージに従ってユーザ機器に第２のセッションメッセージを送ることは、以下の動作、即ち、
第１のセッションメッセージに従ってモビリティ管理ＭＭネットワーク要素にプロトコルデータユニットＰＤＵセッション再配置応答メッセージを送ることであって、ＰＤＵセッション再配置応答メッセージはセッション管理メッセージを搬送し、それにより、ＭＭネットワーク要素はユーザ機器にセッション管理メッセージを送る、こと
を実施することを特に含む。
【０２０６】
可能な設計では、第２のセッションメッセージはセッション管理メッセージである。
【０２０７】
送信ユニット８０３がＵＥコンテキスト応答メッセージに従ってユーザ機器に第２のセッションメッセージを送ることは、以下の動作、即ち、
第１のセッションメッセージに従ってユーザ機器にロケーション更新受付メッセージを送ることであって、ロケーション更新受付メッセージはセッション管理メッセージを搬送する、こと
を実施することを特に含む。
【０２０８】
可能な設計では、第２のセッションメッセージはセッション管理メッセージである。
【０２０９】
送信ユニット８０３がＵＥコンテキスト応答メッセージに従ってユーザ機器に第２のセッションメッセージを送ることは、以下の動作、即ち、
第１のセッションメッセージに従って、ユーザ機器によってアクセスされるアクセスネットワーク要素にコンテキストセットアップ要求メッセージを送ることであって、コンテキストセットアップ要求メッセージはセッション管理メッセージを搬送し、それにより、アクセスネットワーク要素は、無線リソース制御ＲＲＣ再構成を通してユーザ機器にセッション管理メッセージを送る、こと
を実施することを特に含む。
【０２１０】
可能な設計では、送信ユニット８０３がＵＥコンテキスト応答メッセージに従ってユーザ機器に第２のセッションメッセージを送ることは、以下の動作、即ち、
第１のセッションメッセージに従ってユーザ機器にＰＤＵセッション更新応答メッセージを送ることであって、ＰＤＵセッション更新応答メッセージは第２のセッションメッセージを搬送する、こと
を実施することを特に含む。
【０２１１】
可能な設計では、処理ユニット８０２は、事前に取得されたユーザ機器の通信リンクベアラステータス情報に基づいて、アクティブ状態にある通信リンクを判定するように構成される。
【０２１２】
送信ユニット８０３がユーザ機器に第２のセッションメッセージを送ることは、以下の動作、即ち、
ユーザ機器に、アクティブ状態の通信リンクに対応する第２のセッションメッセージを送ること
を実施することを特に含む。
【０２１３】
可能な設計では、第２の制御プレーンネットワーク要素からＵＥコンテキスト応答メッセージを受信する前に、受信ユニット８０１は、
ユーザ機器によって送られたロケーション更新要求メッセージを受信することであって、ロケーション更新要求メッセージは、第２の制御プレーンネットワーク要素のアドレスを導出するために使用される情報を搬送する、こと
を行うようにさらに構成される。
【０２１４】
可能な設計では、第２の制御プレーンネットワーク要素からＵＥコンテキスト応答メッセージを受信する前に、受信ユニット８０１は、
ＭＭネットワーク要素によって送られたＰＤＵセッション再配置要求メッセージを受信することであって、ＰＤＵセッション再配置要求メッセージは、第２の制御プレーンネットワーク要素のアドレスを導出するために使用される情報を搬送する、こと
を行うようにさらに構成される。
【０２１５】
可能な設計では、第２の制御プレーンネットワーク要素からＵＥコンテキスト応答メッセージを受信する前に、受信ユニット８０１は、
ユーザ機器によって送られたＰＤＵセッション更新要求メッセージを受信することであって、ＰＤＵセッション更新要求メッセージは、第２の制御プレーンネットワーク要素のアドレスを導出するために使用される情報を搬送する、こと
を行うようにさらに構成される。
【０２１６】
可能な設計では、送信ユニット８０３は、第２の制御プレーンネットワーク要素にコンテキスト要求メッセージを送るようにさらに構成される。
【０２１７】
受信ユニット８０１が第２の制御プレーンネットワーク要素からＵＥコンテキスト応答メッセージを受信することは、以下の動作、即ち、
コンテキスト要求メッセージに従って第２の制御プレーンネットワーク要素によって送られたＵＥコンテキスト応答メッセージを受信すること
を実施することを特に含む。
【０２１８】
可能な設計では、第１の制御プレーンネットワーク要素はターゲットＳＭネットワーク要素であり、第２の制御プレーンネットワーク要素はソースＳＭネットワーク要素であり、ＵＥコンテキスト応答メッセージはＳＭコンテキスト応答メッセージである。
【０２１９】
可能な設計では、送信ユニット８０３は、ポリシー機能ＰＦネットワーク要素にＰＤＵセッション同期通知メッセージを送るようにさらに構成される。
【０２２０】
本発明のこの実施形態におけるセッション管理ネットワーク要素は、上記の方法実施形態におけるセッション管理方法を実装することができ、ユーザ機器の制御プレーン接続が変化するシナリオにおいてセッションを管理することができる。
【０２２１】
図１０は、本発明の一実施形態による別のセッション管理ネットワーク要素の概略構造図である。図１０に示されているセッション管理ネットワーク要素は、上記の方法実施形態において制御プレーン接続が変化した後にＵＥに接続された制御プレーンネットワーク要素によって実施される、実施形態１から実施形態６並びに図３から図８Ａ及び図８Ｂの各々におけるセッション管理方法を実施するように構成され得る。例えば、セッション管理ネットワーク要素は、実施形態１から実施形態３における第１のＣＰネットワーク要素であり得る。セッション管理ネットワーク要素が第１のＣＰネットワーク要素であるとき、セッション管理ネットワーク要素は、上記の実施形態１から実施形態３及び図３から図５の各々における第１のＣＰネットワーク要素によって実施されるステップを実施し得る。別の例では、セッション管理ネットワーク要素は、実施形態４から実施形態６の各々におけるターゲットＳＭネットワーク要素であり得る。セッション管理ネットワーク要素がターゲットＳＭネットワーク要素であるとき、セッション管理ネットワーク要素は、実施形態４から実施形態６並びに図６Ａ及び図６Ｂから図８Ａ及び図８Ｂの各々におけるターゲットＳＭネットワーク要素によって実施されるステップを実施し得る。以下で、セッション管理ネットワーク要素の特定の構造を参照しながらセッション管理ネットワーク要素の主要な機能について説明する。説明されない部分については、実施形態１から実施形態６並びに図３から図８Ａ及び図８Ｂを参照されたい。
【０２２２】
図１０に示されているように、セッション管理ネットワーク要素は、プロセッサ９０１、メモリ９０２、トランシーバ９０３などを含み得る。プロセッサ９０１、メモリ９０２、及びトランシーバ９０３は、１つ又は複数のバスを使用することによって接続され得る。バスは、周辺構成要素相互接続（ｐｅｒｉｐｈｅｒａｌ  ｃｏｍｐｏｎｅｎｔ  ｉｎｔｅｒｃｏｎｎｅｃｔ、略してＰＣＩ）バス、拡張業界標準アーキテクチャ（ｅｘｔｅｎｄｅｄ  ｉｎｄｕｓｔｒｙ  ｓｔａｎｄａｒｄ  ａｒｃｈｉｔｅｃｔｕｒｅ、略してＥＩＳＡ）バスなどであり得る。通信バス１００４は、アドレスバス、データバス、制御バスなどに分類され得る。表現を容易にするために、図９ではバスを表すためにただ１つの太線が使用されるが、これは、ただ１つのバス又はただ１つのタイプのバスがあることを意味しない。
【０２２３】
トランシーバ９０３は、図９の送信ユニット８０３及び受信ユニット８０１の機能を実装するように構成される。メモリ９０２は、プログラムを記憶するように構成される。特に、プログラムはプログラムコードを含むことがあり、プログラムコードはコンピュータ演算命令を含む。メモリ９０２は、ランダムアクセスメモリ（ｒａｎｄｏｍ  ａｃｃｅｓｓ  ｍｅｍｏｒｙ、略してＲＡＭ）を含むことがあり、不揮発性メモリ（ｎｏｎ−ｖｏｌａｔｉｌｅ  ｍｅｍｏｒｙ）、例えば、少なくとも１つの磁気ディスクストレージをさらに含むことがある。プロセッサ９０１は、メモリ９０２に記憶されたプログラムを実行するように構成され、詳細は以下の通りである。
【０２２４】
トランシーバ９０３は、プロセッサ９０１の制御下で第２の制御プレーンネットワーク要素からユーザ機器ＵＥコンテキスト応答メッセージを受信し、ＵＥコンテキスト応答メッセージは第１のセッションメッセージを搬送し、第１のセッションメッセージは保留セッションメッセージである。トランシーバ９０３は、プロセッサ９０１の制御下でＵＥコンテキスト応答メッセージに従ってユーザ機器に第２のセッションメッセージを送る。
【０２２５】
可能な設計では、第１のセッションメッセージは第２のセッションメッセージと同じである。
【０２２６】
可能な設計では、第２のセッションメッセージは、第１のセッションメッセージに基づいて生成される。
【０２２７】
可能な設計では、第２のセッションメッセージはセッション管理メッセージである。
【０２２８】
トランシーバ９０３がプロセッサ９０１の制御下でＵＥコンテキスト応答メッセージに従ってユーザ機器に第２のセッションメッセージを送ることは、以下の動作、即ち、
第１のセッションメッセージに従ってモビリティ管理ＭＭネットワーク要素にプロトコルデータユニットＰＤＵセッション再配置応答メッセージを送ることであって、ＰＤＵセッション再配置応答メッセージはセッション管理メッセージを搬送し、それにより、ＭＭネットワーク要素はユーザ機器にセッション管理メッセージを送る、こと
を実施することを特に含む。
【０２２９】
可能な設計では、第２のセッションメッセージはセッション管理メッセージである。
【０２３０】
トランシーバ９０３がプロセッサ９０１の制御下でＵＥコンテキスト応答メッセージに従ってユーザ機器に第２のセッションメッセージを送ることは、以下の動作、即ち、
第１のセッションメッセージに従ってユーザ機器にロケーション更新受付メッセージを送ることであって、ロケーション更新受付メッセージはセッション管理メッセージを搬送する、こと
を実施することを特に含む。
【０２３１】
可能な設計では、第２のセッションメッセージはセッション管理メッセージである。
【０２３２】
トランシーバ９０３がプロセッサ９０１の制御下でＵＥコンテキスト応答メッセージに従ってユーザ機器に第２のセッションメッセージを送ることは、以下の動作、即ち、
第１のセッションメッセージに従って、ユーザ機器によってアクセスされるアクセスネットワーク要素にコンテキストセットアップ要求メッセージを送ることであって、コンテキストセットアップ要求メッセージはセッション管理メッセージを搬送し、それにより、アクセスネットワーク要素は、無線リソース制御ＲＲＣ再構成を通してユーザ機器にセッション管理メッセージを送る、こと
を実施することを特に含む。
【０２３３】
可能な設計では、トランシーバ９０３がプロセッサ９０１の制御下でＵＥコンテキスト応答メッセージに従ってユーザ機器に第２のセッションメッセージを送ることは、以下の動作、即ち、
第１のセッションメッセージに従ってユーザ機器にＰＤＵセッション更新応答メッセージを送ることであって、ＰＤＵセッション更新応答メッセージは第２のセッションメッセージを搬送する、こと
を実施することを特に含む。
【０２３４】
可能な設計では、プロセッサ９０１は、事前に取得されたユーザ機器の通信リンクベアラステータス情報に基づいて、アクティブ状態にある通信リンクを判定するようにさらに構成される。
【０２３５】
トランシーバ９０３がプロセッサ９０１の制御下でユーザ機器に第２のセッションメッセージを送ることは、以下の動作、即ち、
ユーザ機器に、アクティブ状態の通信リンクに対応する第２のセッションメッセージを送ること
を実施することを特に含む。
【０２３６】
可能な設計では、プロセッサ９０１の制御下で第２の制御プレーンネットワーク要素からＵＥコンテキスト応答メッセージを受信する前に、トランシーバ９０３は、
ユーザ機器によって送られたロケーション更新要求メッセージを受信することであって、ロケーション更新要求メッセージは、第２の制御プレーンネットワーク要素のアドレスを導出するために使用される情報を搬送する、こと
を行うようにさらに構成される。
【０２３７】
可能な設計では、プロセッサ９０１の制御下で第２の制御プレーンネットワーク要素からＵＥコンテキスト応答メッセージを受信する前に、トランシーバ９０３は、
ＭＭネットワーク要素によって送られたＰＤＵセッション再配置要求メッセージを受信することであって、ＰＤＵセッション再配置要求メッセージは、第２の制御プレーンネットワーク要素のアドレスを導出するために使用される情報を搬送する、こと
を行うようにさらに構成される。
【０２３８】
可能な設計では、プロセッサ９０１の制御下で第２の制御プレーンネットワーク要素からＵＥコンテキスト応答メッセージを受信する前に、トランシーバ９０３は、
ユーザ機器によって送られたＰＤＵセッション更新要求メッセージを受信することであって、ＰＤＵセッション更新要求メッセージは、第２の制御プレーンネットワーク要素のアドレスを導出するために使用される情報を搬送する、こと
を行うようにさらに構成される。
【０２３９】
可能な設計では、トランシーバ９０３は、プロセッサ９０１の制御下で第２の制御プレーンネットワーク要素にコンテキスト要求メッセージを送るようにさらに構成される。
【０２４０】
トランシーバ９０３がプロセッサ９０１の制御下で第２の制御プレーンネットワーク要素からＵＥコンテキスト応答メッセージを受信することは、以下の動作、即ち、
コンテキスト要求メッセージに従って第２の制御プレーンネットワーク要素によって送られたＵＥコンテキスト応答メッセージを受信すること
を実施することを特に含む。
【０２４１】
可能な設計では、第１の制御プレーンネットワーク要素はターゲットＳＭネットワーク要素であり、第２の制御プレーンネットワーク要素はソースＳＭネットワーク要素であり、ＵＥコンテキスト応答メッセージはＳＭコンテキスト応答メッセージである。
【０２４２】
可能な設計では、トランシーバ９０３は、プロセッサ９０１の制御下でポリシー機能ＰＦネットワーク要素にＰＤＵセッション同期通知メッセージを送るようにさらに構成される。
【０２４３】
本発明のこの実施形態におけるセッション管理ネットワーク要素は、上記の方法実施形態におけるセッション管理方法を実装することができ、ユーザ機器の制御プレーン接続が変化するシナリオにおいてセッションを管理することができる。
【０２４４】
上記のプロセッサ９０１は、集積回路（ｉｎｔｅｇｒａｔｅｄ  ｃｉｒｃｕｉｔ、略してＩＣ）を含むことがあり、例えば、単一のパッケージＩＣを含むことがあるか、又は同じ機能若しくは異なる機能を有する複数のパッケージＩＣを含むことがある。例えば、プロセッサ９０１は、中央処理ユニット（ｃｅｎｔｒａｌ  ｐｒｏｃｅｓｓｉｎｇ  ｕｎｉｔ、略してＣＰＵ）のみを含むことがあるか、又はトランシーバ９０３中のＧＰＵ、デジタル信号プロセッサ（ｄｉｇｉｔａｌ  ｓｉｇｎａｌ  ｐｒｏｃｅｓｓｏｒ、略してＤＳＰ）、及び（ベースバンドチップなどの）制御チップの組合せであり得る。本発明の実装では、ＣＰＵは単一の演算コアであり得るか、又は複数の演算コアを含み得る。
【０２４５】
トランシーバ９０３は通信チャネルを確立するように構成され、それにより、セッション管理ネットワーク要素は、通信チャネルを通して受信デバイスに接続されて、セッション管理ネットワーク要素間のデータ送信を実装する。トランシーバ９０３は、ワイヤレスローカルエリアネットワーク（ｗｉｒｅｌｅｓｓ  ｌｏｃａｌ  ａｒｅａ  ｎｅｔｗｏｒｋ、略してＷＬＡＮ）モジュール、Ｂｌｕｅｔｏｏｔｈモジュール、又はベースバンド（ｂａｓｅｂａｎｄ）モジュールなどの通信モジュール、及びそれらの通信モジュールに対応する無線周波数（ｒａｄｉｏ  ｆｒｅｑｕｅｎｃｙ、略してＲＦ）回路を含むことがあり、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、略してＷＣＤＭＡ）及び／又は高速ダウンリンクパケットアクセス（ｈｉｇｈ  ｓｐｅｅｄ  ｄｏｗｎｌｉｎｋ  ｐａｃｋｅｔ  ａｃｃｅｓｓ、略してＨＳＤＰＡ）など、ワイヤレスローカルエリアネットワーク通信、Ｂｌｕｅｔｏｏｔｈ通信、赤外線通信、及び／又はセルラー通信システム通信を実施するように構成される。トランシーバ９０３は、セッション管理ネットワーク要素中のすべての構成要素間の通信を制御するように構成され、ダイレクトメモリアクセス（ｄｉｒｅｃｔ  ｍｅｍｏｒｙ  ａｃｃｅｓｓ）をサポートし得る。
【０２４６】
本発明の異なる実装では、トランシーバ９０３中の様々なトランシーバは、集積回路チップ（ｉｎｔｅｇｒａｔｅｄ  ｃｉｒｃｕｉｔ  ｃｈｉｐ）の形態で概して現れ、すべてのトランシーバ及び対応するアンテナグループを含む必要なしに選択的に組み合わされ得る。例えば、トランシーバ９０３は、セルラー通信システムにおいて通信機能を提供するために、ベースバンドチップ、無線周波数チップ、及び対応するアンテナのみを含み得る。例えば、セッション管理ネットワーク要素は、トランシーバによって確立されたワイヤレス通信接続を使用することによって、例えば、ワイヤレスローカルエリアネットワークアクセス又はＷＣＤＭＡを使用することによってセルラーネットワーク（ｃｅｌｌｕｌａｒ  ｎｅｔｗｏｒｋ）又はインターネット（ｉｎｔｅｒｎｅｔ）に接続することができる。本発明のいくつかの任意選択の実装では、トランシーバ中のベースバンドモジュールなどの通信モジュールは、典型的には、Ｑｕａｌｃｏｍｍ（クアルコム）によって提供されるプラットフォームのＡＰＱ＋ＭＤＭファミリーなど、プロセッサに組み込まれ得る。無線周波数回路は、情報受信／送信処理又は呼処理において信号を受信及び送信するように構成される。例えば、ネットワークデバイスからダウンリンク情報を受信した後に、無線周波数回路は、処理のためにダウンリンク情報をプロセッサに送り、さらに、関係するアップリンクデータをネットワークデバイスに送る。通常、無線周波数回路は、これらの機能を実行するように構成された公衆回線を含み、限定はされないが、アンテナシステム、無線周波数トランシーバ、１つ又は複数の増幅器、チューナー、１つ又は複数の発振器、デジタル信号プロセッサ、コーデック（ｃｏｄｅｃ）チップセット、加入者識別モジュール（ＳＩＭ）カード、メモリなどを含む。加えて、無線周波数回路は、ワイヤレス通信を通してネットワーク及び別のデバイスとさらに通信し得る。ワイヤレス通信は、限定はされないが、モバイル通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、略してＧＳＭ）、汎用パケット無線サービス（ｇｅｎｅｒａｌ  ｐａｃｋｅｔ  ｒａｄｉｏ  ｓｅｒｖｉｃｅ、略してＧＰＲＳ）、符号分割多元接続（ｃｏｄｅ  ｄｉｖｉｓｉｏｎ  ｍｕｌｔｉｐｌｅ  ａｃｃｅｓｓ、略してＣＤＭＡ）、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、略してＷＣＤＭＡ）、高速アップリンクパケットアクセス（ｈｉｇｈ  ｓｐｅｅｄ  ｕｐｌｉｎｋ  ｐａｃｋｅｔ  ａｃｃｅｓｓ、略してＨＳＵＰＡ）技術、ロングタームエボリューション（ｌｏｎｇ  ｔｅｒｍ  ｅｖｏｌｕｔｉｏｎ、略してＬＴＥ）、電子メール、ショートメッセージサービス（ｓｈｏｒｔ  ｍｅｓｓａｇｅ  ｓｅｒｖｉｃｅ、略してＳＭＳ）などを含む、任意の通信規格又はプロトコルを使用し得る。
【０２４７】
特定の実装では、本発明はコンピュータ記憶媒体をさらに提供し、コンピュータ記憶媒体はプログラムを記憶することがあり、プログラムが実行されたとき、本発明において提供される呼出し方法の実施形態のステップの一部又は全部が実施され得る。上記の記憶媒体は、磁気ディスク、光ディスク、読取り専用メモリ（英語：ｒｅａｄ−ｏｎｌｙ  ｍｅｍｏｒｙ、略してＲＯＭ）、又はランダムアクセスメモリ（英語：ｒａｎｄｏｍ  ａｃｃｅｓｓ  ｍｅｍｏｒｙ、略してＲＡＭ）であり得る。
【０２４８】
当業者は、本発明の実施形態における技術が、必要な汎用ハードウェアプラットフォームに加えてソフトウェアによって実装され得ることを明らかに理解されよう。そのような理解に基づいて、本質的に本発明の実施形態における技術的解決策又は従来技術に寄与する部分は、ソフトウェア製品の形態で実装され得る。コンピュータソフトウェア製品は、ＲＯＭ／ＲＡＭ、磁気ディスク、又は光ディスクなど、記憶媒体に記憶されることがあり、本発明の実施形態又は実施形態のいくつかの部分において説明される方法を実施するように（パーソナルコンピュータ、サーバ、又はネットワークデバイスであり得る）コンピュータデバイスに命令するためのいくつかの命令を含む。
【０２４９】
本明細書の実施形態における同じ又は同様の部分について、相互参照がこれらの実施形態間で行われることがある。特に、セッション管理ネットワーク要素実施形態は、基本的に方法実施形態と同様であり、したがって手短に説明された。関係する部分については、方法実施形態における説明を参照されたい。上記の説明は、本発明の実装であるが、本発明の保護範囲を限定するものではない。
【図１】
2019534636.tif 000003
【図２】
2019534636.tif 000004
【図３】
2019534636.tif 000005
【図４Ａ】
2019534636.tif 000006
【図４Ｂ】
2019534636.tif 000007
【図５】
2019534636.tif 000008
【図６Ａ】
2019534636.tif 000009
【図６Ｂ】
2019534636.tif 000010
【図７Ａ】
2019534636.tif 000011
【図７Ｂ】
2019534636.tif 000012
【図８Ａ】
2019534636.tif 000013
【図８Ｂ】
2019534636.tif 000014
【図９】
2019534636.tif 000015
【図１０】
2019534636.tif 000016
【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
第１の制御プレーンネットワーク要素によって、第２の制御プレーンネットワーク要素からユーザ機器（ＵＥ）コンテキスト応答メッセージを受信するステップであって、前記ＵＥコンテキスト応答メッセージは第１のセッションメッセージを搬送し、前記第１のセッションメッセージは保留セッションメッセージである、ステップと、
前記第１の制御プレーンネットワーク要素によって、前記ＵＥコンテキスト応答メッセージに従ってユーザ機器に第２のセッションメッセージを送るステップと
を含む、セッション管理方法。
【請求項２】
前記第１のセッションメッセージが前記第２のセッションメッセージと同じであるか、又は、前記第２のセッションメッセージが前記第１のセッションメッセージに基づいて生成される
請求項１に記載の方法。
【請求項３】
前記第２のセッションメッセージはセッション管理メッセージであり、
前記第１の制御プレーンネットワーク要素によって、前記ＵＥコンテキスト応答メッセージに従ってユーザ機器に第２のセッションメッセージを送る前記ステップは、
前記第１の制御プレーンネットワーク要素によって、前記第１のセッションメッセージに従ってモビリティ管理（ＭＭ）ネットワーク要素にプロトコルデータユニット（ＰＤＵ）セッション再配置応答メッセージを送るステップであって、前記ＰＤＵセッション再配置応答メッセージは前記セッション管理メッセージを搬送する、ステップを含む
請求項１又は２に記載の方法。
【請求項４】
前記第２のセッションメッセージはセッション管理メッセージであり、
前記第１の制御プレーンネットワーク要素によって、前記ＵＥコンテキスト応答メッセージに従ってユーザ機器に第２のセッションメッセージを送る前記ステップは、
前記第１の制御プレーンネットワーク要素によって、前記第１のセッションメッセージに従って前記ユーザ機器にロケーション更新受付メッセージを送るステップであって、前記ロケーション更新受付メッセージは前記セッション管理メッセージを搬送する、ステップを含む
請求項１又は２に記載の方法。
【請求項５】
前記第２のセッションメッセージはセッション管理メッセージであり、
前記第１の制御プレーンネットワーク要素によって、前記ＵＥコンテキスト応答メッセージに従ってユーザ機器に第２のセッションメッセージを送る前記ステップは、
前記第１のセッションメッセージに従って前記第１の制御プレーンネットワーク要素によって、前記ユーザ機器によってアクセスされるアクセスネットワーク要素にコンテキストセットアップ要求メッセージを送るステップであって、前記コンテキストセットアップ要求メッセージは前記セッション管理メッセージを搬送する、ステップを含む
請求項１又は２に記載の方法。
【請求項６】
前記第２のセッションメッセージはセッション管理メッセージであり、
前記第１の制御プレーンネットワーク要素によって、前記ＵＥコンテキスト応答メッセージに従ってユーザ機器に第２のセッションメッセージを送る前記ステップは、
前記第１の制御プレーンネットワーク要素によって、前記第１のセッションメッセージに従って前記ユーザ機器にＰＤＵセッション更新応答メッセージを送るステップであって、前記ＰＤＵセッション更新応答メッセージは前記セッション管理メッセージを搬送する、ステップを含む
請求項１又は２に記載の方法。
【請求項７】
前記第１の制御プレーンネットワーク要素によって、前記ユーザ機器に前記第２のセッションメッセージを送る前記ステップは、
事前に取得された前記ユーザ機器の通信リンクベアラステータス情報に基づいて前記第１の制御プレーンネットワーク要素によって、アクティブ状態にある通信リンクを判定するステップ、又は、
前記第１の制御プレーンネットワーク要素によって、前記ユーザ機器からロケーション更新要求メッセージを受信するステップであって、前記ロケーション更新要求メッセージは、前記第２の制御プレーンネットワーク要素のアドレスを導出するために使用される情報を搬送する、ステップ、又は、
前記第１の制御プレーンネットワーク要素によって、ＭＭネットワーク要素からＰＤＵセッション再配置要求メッセージを受信するステップであって、前記ＰＤＵセッション再配置要求メッセージは、前記第２の制御プレーンネットワーク要素のアドレスを導出するために使用される情報を搬送する、ステップ、又は、
前記第１の制御プレーンネットワーク要素によって、前記ユーザ機器からＰＤＵセッション更新要求メッセージを受信するステップであって、前記ＰＤＵセッション更新要求メッセージは、前記第２の制御プレーンネットワーク要素のアドレスを導出するために使用される情報を搬送する、ステップを含む
請求項１〜６のいずれか一項に記載の方法。
【請求項８】
第１の制御プレーンネットワーク要素によって、第２の制御プレーンネットワーク要素からＵＥコンテキスト応答メッセージを受信する前記ステップは、
前記第１の制御プレーンネットワーク要素によって、前記第２の制御プレーンネットワーク要素にＵＥコンテキスト要求メッセージを送るステップと、
前記第１の制御プレーンネットワーク要素によって、前記ＵＥコンテキスト要求メッセージに従って前記第２の制御プレーンネットワーク要素から前記ＵＥコンテキスト応答メッセージを受信するステップと
を含む
請求項１〜７のいずれか一項に記載の方法。
【請求項９】
前記第１の制御プレーンネットワーク要素はターゲットセッション管理（ＳＭ）ネットワーク要素であり、前記第２の制御プレーンネットワーク要素はソースＳＭネットワーク要素であり、前記ＵＥコンテキスト応答メッセージはＳＭコンテキスト応答メッセージである
請求項１〜８のいずれか一項に記載の方法。
【請求項１０】
前記方法は、
前記第１の制御プレーンネットワーク要素によって、ポリシー機能ＰＦネットワーク要素にＰＤＵセッション同期通知メッセージを送るステップをさらに含む
請求項１〜９のいずれか一項に記載の方法。
【請求項１１】
セッション管理ネットワーク要素であって、前記セッション管理ネットワーク要素は、第１の制御プレーンネットワーク要素中に展開され、
第２の制御プレーンネットワーク要素からユーザ機器（ＵＥ）コンテキスト応答メッセージを受信するように構成された受信ユニットであって、前記ＵＥコンテキスト応答メッセージは第１のセッションメッセージを搬送し、前記第１のセッションメッセージは保留セッションメッセージである、受信ユニットと、
前記ＵＥコンテキスト応答メッセージに従ってユーザ機器に第２のセッションメッセージを送るように構成された送信ユニットと
を備える、セッション管理ネットワーク要素。
【請求項１２】
前記第１のセッションメッセージが前記第２のセッションメッセージと同じであるか、又は、前記第２のセッションメッセージが、前記第１のセッションメッセージに基づいて生成される
請求項１１に記載のネットワーク要素。
【請求項１３】
前記第２のセッションメッセージはセッション管理メッセージであり、
送信ユニットが前記ＵＥコンテキスト応答メッセージに従ってユーザ機器に第２のセッションメッセージを送ることは、以下の動作、即ち、
前記第１のセッションメッセージに従ってモビリティ管理（ＭＭ）ネットワーク要素にプロトコルデータユニット（ＰＤＵ）セッション再配置応答メッセージを送ることであって、前記ＰＤＵセッション再配置応答メッセージは前記セッション管理メッセージを搬送する、こと
を実施することを特に含む
請求項１１又は１２に記載のネットワーク要素。
【請求項１４】
前記第２のセッションメッセージはセッション管理メッセージであり、
送信ユニットが前記ＵＥコンテキスト応答メッセージに従ってユーザ機器に第２のセッションメッセージを送ることは、以下の動作、即ち、
前記第１のセッションメッセージに従って前記ユーザ機器にロケーション更新受付メッセージを送ることであって、前記ロケーション更新受付メッセージは前記セッション管理メッセージを搬送する、こと
を実施することを含む
請求項１１又は１２に記載のネットワーク要素。
【請求項１５】
前記第２のセッションメッセージはセッション管理メッセージであり、
送信ユニットが前記ＵＥコンテキスト応答メッセージに従ってユーザ機器に第２のセッションメッセージを送ることは、以下の動作、即ち、
前記第１のセッションメッセージに従って、前記ユーザ機器によってアクセスされるアクセスネットワーク要素にコンテキストセットアップ要求メッセージを送ることであって、前記コンテキストセットアップ要求メッセージは前記セッション管理メッセージを搬送する、こと
を実施することを含む
請求項１１又は１２に記載のネットワーク要素。
【請求項１６】
前記第２のセッションメッセージはセッション管理メッセージであり、
送信ユニットが前記ＵＥコンテキスト応答メッセージに従ってユーザ機器に第２のセッションメッセージを送ることは、以下の動作、即ち、
前記第１のセッションメッセージに従って前記ユーザ機器にＰＤＵセッション更新応答メッセージを送ることであって、前記ＰＤＵセッション更新応答メッセージは前記セッション管理メッセージを搬送する、こと
を実施することを含む
請求項１１又は１２に記載のネットワーク要素。
【請求項１７】
前記ネットワーク要素は、事前に取得された前記ユーザ機器の通信リンクベアラステータス情報に基づいて、アクティブ状態にある通信リンクを判定するように構成された第２の処理ユニットをさらに備え、
送信ユニットが前記ユーザ機器に前記第２のセッションメッセージを送ることは、以下の動作、即ち、
前記ユーザ機器に、前記アクティブ状態の前記通信リンクに対応する前記第２のセッションメッセージを送ること
を実施することを特に含む
請求項１１〜１６のいずれか一項に記載のネットワーク要素。
【請求項１８】
前記第２の制御プレーンネットワーク要素から前記ＵＥコンテキスト応答メッセージを受信する前に、前記受信ユニットは、
前記ユーザ機器からロケーション更新要求メッセージを受信することであって、前記ロケーション更新要求メッセージは、前記第２の制御プレーンネットワーク要素のアドレスを導出するために使用される情報を搬送する、こと
を行うようにさらに構成された
請求項１１〜１６のいずれか一項に記載のネットワーク要素。
【請求項１９】
前記第２の制御プレーンネットワーク要素から前記ＵＥコンテキスト応答メッセージを受信する前に、前記受信ユニットは、
ＭＭネットワーク要素からＰＤＵセッション再配置要求メッセージを受信することであって、前記ＰＤＵセッション再配置要求メッセージは、前記第２の制御プレーンネットワーク要素のアドレスを導出するために使用される情報を搬送する、こと
を行うようにさらに構成された
請求項１１〜１６のいずれか一項に記載のネットワーク要素。
【請求項２０】
前記第２の制御プレーンネットワーク要素から前記ＵＥコンテキスト応答メッセージを受信する前に、前記受信ユニットは、
前記ユーザ機器からＰＤＵセッション更新要求メッセージを受信することであって、前記ＰＤＵセッション更新要求メッセージは、前記第２の制御プレーンネットワーク要素のアドレスを導出するために使用される情報を搬送する、こと
を行うようにさらに構成された
請求項１１〜１６のいずれか一項に記載のネットワーク要素。
【請求項２１】
前記送信ユニットは、前記第２の制御プレーンネットワーク要素にＵＥコンテキスト要求メッセージを送るようにさらに構成され、
受信ユニットが第２の制御プレーンネットワーク要素からＵＥコンテキスト応答メッセージを受信することは、以下の動作、即ち、
前記ＵＥコンテキスト要求メッセージに従って前記第２の制御プレーンネットワーク要素から前記ＵＥコンテキスト応答メッセージを受信すること
を実施することを含む
請求項１１〜２０のいずれか一項に記載のネットワーク要素。
【請求項２２】
前記第１の制御プレーンネットワーク要素はターゲットセッション管理（ＳＭ）ネットワーク要素であり、前記第２の制御プレーンネットワーク要素はソースＳＭネットワーク要素であり、前記ＵＥコンテキスト応答メッセージはＳＭコンテキスト応答メッセージである
請求項１１〜２１のいずれか一項に記載のネットワーク要素。
【請求項２３】
前記送信ユニットは、ポリシー機能（ＰＦ）ネットワーク要素にＰＤＵセッション同期通知メッセージを送るようにさらに構成された
請求項１１〜２２のいずれか一項に記載のネットワーク要素。
【請求項２４】
第１の制御プレーンネットワーク要素及び第２の制御プレーンネットワーク要素を備え、前記第１の制御プレーンネットワーク要素は、請求項１〜１０のいずれか一項に記載の前記方法を実行するように構成され、前記第２の制御プレーンネットワーク要素は、前記ＵＥコンテキスト応答メッセージを送るように構成された、通信システム。
【請求項２５】
そこに記録されるプログラムを有するコンピュータ読み取り可能な記録媒体であって、前記プログラムは、請求項１〜１０のいずれか一項に記載の前記方法をコンピュータに実行させる、記録媒体。
【手続補正２】
【補正対象書類名】明細書
【補正対象項目名】０００４
【補正方法】変更
【補正の内容】
【０００４】
一態様によれば、本発明の一実施形態は、第１の制御プレーンネットワーク要素によって、第２の制御プレーンネットワーク要素からユーザ機器ＵＥコンテキスト応答メッセージを受信するステップであって、ＵＥコンテキスト応答メッセージは第１のセッションメッセージを搬送し、第１のセッションメッセージは保留セッションメッセージである、ステップと、第１の制御プレーンネットワーク要素によって、ＵＥコンテキスト応答メッセージに従ってユーザ機器に第２のセッションメッセージを送るステップとを含む、セッション管理方法を提供する。
【手続補正３】
【補正対象書類名】明細書
【補正対象項目名】０２４６
【補正方法】変更
【補正の内容】
【０２４６】
本発明の異なる実装では、トランシーバ９０３中の様々なトランシーバは、集積回路チップ（ｉｎｔｅｇｒａｔｅｄ  ｃｉｒｃｕｉｔ  ｃｈｉｐ）の形態で概して現れ、すべてのトランシーバ及び対応するアンテナグループを含む必要なしに選択的に組み合わされ得る。例えば、トランシーバ９０３は、セルラー通信システムにおいて通信機能を提供するために、ベースバンドチップ、無線周波数チップ、及び対応するアンテナのみを含み得る。例えば、セッション管理ネットワーク要素は、トランシーバによって確立されたワイヤレス通信接続を使用することによって、例えば、ワイヤレスローカルエリアネットワークアクセス又はＷＣＤＭＡを使用することによってセルラーネットワーク（ｃｅｌｌｕｌａｒ  ｎｅｔｗｏｒｋ）又はインターネット（ｉｎｔｅｒｎｅｔ）に接続することができる。本発明のいくつかの任意選択の実装では、トランシーバ中のベースバンドモジュールなどの通信モジュールは、典型的には、Ｑｕａｌｃｏｍｍ（クアルコム）によって提供されるプラットフォームのＡＰＱ＋ＭＤＭファミリーなど、プロセッサに組み込まれ得る。無線周波数回路は、情報受信／送信処理又は呼処理において信号を受信及び送信するように構成される。例えば、ネットワークデバイスからダウンリンク情報を受信した後に、無線周波数回路は、処理のためにダウンリンク情報をプロセッサに送り、さらに、関係するアップリンクデータをネットワークデバイスに送る。通常、無線周波数回路は、これらの機能を実行するように構成された公衆回線を含み、限定はされないが、アンテナシステム、無線周波数トランシーバ、１つ又は複数の増幅器、チューナー、１つ又は複数の発振器、デジタル信号プロセッサ、コーデック（ｃｏｄｅｃ）チップセット、加入者識別モジュール（ＳＩＭ）カード、メモリなどを含む。加えて、無線周波数回路は、ワイヤレス通信を通してネットワーク及び別のデバイスとさらに通信し得る。ワイヤレス通信は、限定はされないが、モバイル通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、略してＧＳＭ）、汎用パケット無線サービス（ｇｅｎｅｒａｌ  ｐａｃｋｅｔ  ｒａｄｉｏ  ｓｅｒｖｉｃｅ、略してＧＰＲＳ）、符号分割多元接続（ｃｏｄｅ  ｄｉｖｉｓｉｏｎ  ｍｕｌｔｉｐｌｅ  ａｃｃｅｓｓ、略してＣＤＭＡ）、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、略してＷＣＤＭＡ）、高速アップリンクパケットアクセス（ｈｉｇｈ  ｓｐｅｅｄ  ｕｐｌｉｎｋ  ｐａｃｋｅｔ  ａｃｃｅｓｓ、略してＨＳＵＰＡ）技術、ロングタームエボリューション（ｌｏｎｇ  ｔｅｒｍ  ｅｖｏｌｕｔｉｏｎ、略してＬＴＥ）などを含む、任意の通信規格又はプロトコルを使用し得る。
【手続補正４】
【補正対象書類名】明細書
【補正対象項目名】０２４７
【補正方法】変更
【補正の内容】
【０２４７】
特定の実装では、本発明はコンピュータ記憶媒体をさらに提供し、コンピュータ記憶媒体はプログラムを記憶することがあり、プログラムが実行されたとき、本発明において提供されるセッション管理方法の実施形態のステップの一部又は全部が実施され得る。上記の記憶媒体は、磁気ディスク、光ディスク、読取り専用メモリ（英語：ｒｅａｄ−ｏｎｌｙ  ｍｅｍｏｒｙ、略してＲＯＭ）、又はランダムアクセスメモリ（英語：ｒａｎｄｏｍ  ａｃｃｅｓｓ  ｍｅｍｏｒｙ、略してＲＡＭ）であり得る。
【国際調査報告】
2019534636.tif 000017
2019534636.tif 000018
2019534636.tif 000019
2019534636.tif 000020